(57)【要約】【課題】撮像デバイスが取得した色域、輝度域の情報を、鑑賞画像を想定して最適化した鑑賞画像参照データに圧縮して記録する際、画像編集に伴う画質劣化を抑制するとともに、ユーザの編集作業効率の改善を図る。【解決手段】画像調整処理部７０１に撮影画像データが入力されると、その撮影画像データが色の見えモデルを用いて変換され、出力媒体毎の色域マッピングが行われる。ＣＲＴ用の色域マッピングが行われると、撮影画像データをＣＲＴ８に表示するための鑑賞画像参照データが生成され、その生成された画像データがＣＲＴ８に表示される。ＣＲＴ８に表示された画像データを見ているユーザによる操作部１１の操作により、画像データの編集指示があると、その編集指示に応じて情報補填処理（撮影画像データの読み直し、必要な情報のみの補填）が行われ、再度撮影画像データに対する色域調整が行われる。【選択図】図６
2005208817.tif 000002
【特許請求の範囲】
【請求項１】
撮像画像データに対し、出力媒体上での鑑賞に最適化する画像処理を施して鑑賞画像参照データを生成する画像処理方法において、
ユーザの編集指示に応じて、撮影画像データを色の見えモデルを用いて変換し、出力媒体毎の色域マッピングを行う色域調整工程を含むことを特徴とする画像処理方法。
【請求項２】
撮像画像データに対し、出力媒体上での鑑賞に最適化する画像処理を施して鑑賞画像参照データを生成する画像処理方法において、
ユーザの編集指示に応じて、撮影画像データに対し、階調を調整する処理を施す階調マッピング工程と、
前記階調マッピング工程において得られた画像データを色の見えモデルを用いて変換し、出力媒体毎の色域マッピングを行う色域調整工程と、
を含むことを特徴とする画像処理方法。
【請求項３】
撮像画像データに対し、出力媒体上での鑑賞に最適化する画像処理を施して鑑賞画像参照データを生成する画像処理方法において、
ユーザの編集指示に応じて、撮影画像データの色空間を輝度拡張色空間へ変換し、階調を調整する処理を施す階調マッピング工程と、
前記階調マッピング工程において得られた画像データを色の見えモデルを用いて変換し、出力媒体毎の色域マッピングを行う色域調整工程と、
を含むことを特徴とする画像処理方法。
【請求項４】
撮像画像データに対し、出力媒体上での鑑賞に最適化する画像処理を施して鑑賞画像参照データを生成する画像処理方法において、
ユーザの編集指示に応じて、撮影画像データを色の見えモデルを用いて変換し、出力媒体毎の色域マッピングを行う色域調整処理を用いて、少なくとも２つの異なる出力媒体用の鑑賞画像参照データを同時に生成する生成工程を含むことを特徴とする画像処理方法。
【請求項５】
撮像画像データに対し、出力媒体上での鑑賞に最適化する画像処理を施して鑑賞画像参照データを生成する画像処理方法において、
ユーザの編集指示に応じて、撮影画像データを色の見えモデルを用いて変換し、出力媒体毎の色域マッピングを行う色域調整工程と、
前記色域調整工程において得られた少なくとも１つの出力媒体用の鑑賞画像参照データに対し色域調整処理を施して、当該出力媒体と異なる出力媒体用の鑑賞画像参照データを生成する生成工程と、
を含むことを特徴とする画像処理方法。
【請求項６】
撮像画像データに対し、出力媒体上での鑑賞に最適化する画像処理を施して鑑賞画像参照データを生成する画像処理方法において、
ユーザの編集指示に応じて、撮影画像データに対し、階調を調整する処理を施す階調マッピング工程と、
前記階調マッピング工程において得られた画像データを色の見えモデルを用いて変換し、出力媒体毎の色域マッピングを行う色域調整処理を用いて、少なくとも２つの異なる出力媒体用の鑑賞画像参照データを同時に生成する生成工程と、
を含むことを特徴とする画像処理方法。
【請求項７】
撮像画像データに対し、出力媒体上での鑑賞に最適化する画像処理を施して鑑賞画像参照データを生成する画像処理方法において、
ユーザの編集指示に応じて、撮影画像データに対し、階調を調整する処理を施す階調マッピング工程と、
前記階調マッピング工程において得られた画像データを色の見えモデルを用いて変換し、出力媒体毎の色域マッピングを行う色域調整工程と、
前記色域調整工程において得られた少なくとも１つの出力媒体用の鑑賞画像参照データに対し色域調整処理を施して、当該出力媒体と異なる出力媒体用の鑑賞画像参照データを生成する生成工程と、
を含むことを特徴とする画像処理方法。
【請求項８】
撮像画像データに対し、出力媒体上での鑑賞に最適化する画像処理を施して鑑賞画像参照データを生成する画像処理方法において、
ユーザの編集指示に応じて、撮影画像データの色空間を輝度拡張色空間へ変換し、階調を調整する処理を施す階調マッピング工程と、
前記階調マッピング工程において得られた画像データを色の見えモデルを用いて変換し、出力媒体毎の色域マッピングを行う色域調整処理を用いて、少なくとも２つの異なる出力媒体用の鑑賞画像参照データを同時に生成する生成工程と、
を含むことを特徴とする画像処理方法。
【請求項９】
撮像画像データに対し、出力媒体上での鑑賞に最適化する画像処理を施して鑑賞画像参照データを生成する画像処理方法において、
ユーザの編集指示に応じて、撮影画像データの色空間を輝度拡張色空間へ変換し、階調を調整する処理を施す階調マッピング工程と、
前記階調マッピング工程において得られた画像データを色の見えモデルを用いて変換し、出力媒体毎の色域マッピングを行う色域調整工程と、
前記色域調整工程において得られた少なくとも１つの出力媒体用の鑑賞画像参照データに対し色域調整処理を施して、当該出力媒体と異なる出力媒体用の鑑賞画像参照データを生成する生成工程と、
を含むことを特徴とする画像処理方法。
【請求項１０】
前記生成工程において生成される前記少なくとも２つの異なる出力媒体用の鑑賞画像参照データのうち、少なくとも１つが、自己発光して出力する出力媒体用の画像データであり、当該画像データは、他の出力媒体上での鑑賞画像のプルーフ用画像であることを特徴とする請求項４、６、８の何れか一項に記載の画像処理方法。
【請求項１１】
前記生成工程において生成される前記出力媒体と異なる出力媒体用の鑑賞画像参照データが、自己発光して出力する出力媒体用の画像データであり、当該画像データは、他の出力媒体上での鑑賞画像のプルーフ用画像であることを特徴とする請求項５、７、９の何れか一項に記載の画像処理方法。
【請求項１２】
前記輝度拡張色空間がｓｃＲＧＢであることを特徴とする請求項３、８、９の何れか一項に記載の画像処理方法。
【請求項１３】
前記撮影画像データはＲＡＷデータであり、
前記階調マッピングは、その処理条件が、入力情報の解析又は前記撮影画像データの主要被写体に応じて、画像読み取り時に少なくとも一度調整されることを特徴とする請求項２、３、６〜１２の何れか一項に記載の画像処理方法。
【請求項１４】
前記色域マッピングは、その処理条件が、入力情報の解析又は前記撮影画像データの主要被写体に応じて調整されることを特徴とする請求項１〜１３の何れか一項に記載の画像処理方法。
【請求項１５】
前記入力情報が、画像解析結果、メタデータ、画像ファイル毎に特定可能な形式で画像データに付加された情報のうち、少なくとも１つを含むことを特徴とする請求項１３又は１４に記載の画像処理方法。
【請求項１６】
前記色の見えモデルが、ＣＩＥＣＡＭ９７ｓ又はＣＩＥＣＡＭ０２であることを特徴とする請求項１〜１５の何れか一項に記載の画像処理方法。
【請求項１７】
撮像画像データに対し、出力媒体上での鑑賞に最適化する画像処理を施して鑑賞画像参照データを生成する画像処理装置において、
ユーザの編集指示に応じて、撮影画像データを色の見えモデルを用いて変換し、出力媒体毎の色域マッピングを行う色域調整手段を備えることを特徴とする画像処理装置。
【請求項１８】
撮像画像データに対し、出力媒体上での鑑賞に最適化する画像処理を施して鑑賞画像参照データを生成する画像処理装置において、
ユーザの編集指示に応じて、撮影画像データに対し、階調を調整する処理を施す階調マッピング手段と、
前記階調マッピング手段により得られた画像データを色の見えモデルを用いて変換し、出力媒体毎の色域マッピングを行う色域調整手段と、
を備えることを特徴とする画像処理装置。
【請求項１９】
撮像画像データに対し、出力媒体上での鑑賞に最適化する画像処理を施して鑑賞画像参照データを生成する画像処理装置において、
ユーザの編集指示に応じて、撮影画像データの色空間を輝度拡張色空間へ変換し、階調を調整する処理を施す階調マッピング手段と、
前記階調マッピング手段により得られた画像データを色の見えモデルを用いて変換し、出力媒体毎の色域マッピングを行う色域調整手段と、
を備えることを特徴とする画像処理装置。
【請求項２０】
撮像画像データに対し、出力媒体上での鑑賞に最適化する画像処理を施して鑑賞画像参照データを生成する画像処理装置において、
ユーザの編集指示に応じて、撮影画像データを色の見えモデルを用いて変換し、出力媒体毎の色域マッピングを行う色域調整処理を用いて、少なくとも２つの異なる出力媒体用の鑑賞画像参照データを同時に生成する生成手段を備えることを特徴とする画像処理装置。
【請求項２１】
撮像画像データに対し、出力媒体上での鑑賞に最適化する画像処理を施して鑑賞画像参照データを生成する画像処理装置において、
ユーザの編集指示に応じて、撮影画像データを色の見えモデルを用いて変換し、出力媒体毎の色域マッピングを行う色域調整手段と、
前記色域調整手段により得られた少なくとも１つの出力媒体用の鑑賞画像参照データに対し色域調整処理を施して、当該出力媒体と異なる出力媒体用の鑑賞画像参照データを生成する生成手段と、
を備えることを特徴とする画像処理装置。
【請求項２２】
撮像画像データに対し、出力媒体上での鑑賞に最適化する画像処理を施して鑑賞画像参照データを生成する画像処理装置において、
ユーザの編集指示に応じて、撮影画像データに対し、階調を調整する処理を施す階調マッピング手段と、
前記階調マッピング手段により得られた画像データを色の見えモデルを用いて変換し、出力媒体毎の色域マッピングを行う色域調整処理を用いて、少なくとも２つの異なる出力媒体用の鑑賞画像参照データを同時に生成する生成手段と、
を備えることを特徴とする画像処理装置。
【請求項２３】
撮像画像データに対し、出力媒体上での鑑賞に最適化する画像処理を施して鑑賞画像参照データを生成する画像処理装置において、
ユーザの編集指示に応じて、撮影画像データに対し、階調を調整する処理を施す階調マッピング手段と、
前記階調マッピング手段により得られた画像データを色の見えモデルを用いて変換し、出力媒体毎の色域マッピングを行う色域調整手段と、
前記色域調整手段により得られた少なくとも１つの出力媒体用の鑑賞画像参照データに対し色域調整処理を施して、当該出力媒体と異なる出力媒体用の鑑賞画像参照データを生成する生成手段と、
を備えることを特徴とする画像処理装置。
【請求項２４】
撮像画像データに対し、出力媒体上での鑑賞に最適化する画像処理を施して鑑賞画像参照データを生成する画像処理装置において、
ユーザの編集指示に応じて、撮影画像データの色空間を輝度拡張色空間へ変換し、階調を調整する処理を施す階調マッピング手段と、
前記階調マッピング手段により得られた画像データを色の見えモデルを用いて変換し、出力媒体毎の色域マッピングを行う色域調整処理を用いて、少なくとも２つの異なる出力媒体用の鑑賞画像参照データを同時に生成する生成手段と、
を備えることを特徴とする画像処理装置。
【請求項２５】
撮像画像データに対し、出力媒体上での鑑賞に最適化する画像処理を施して鑑賞画像参照データを生成する画像処理装置において、
ユーザの編集指示に応じて、撮影画像データの色空間を輝度拡張色空間へ変換し、階調を調整する処理を施す階調マッピング手段と、
前記階調マッピング手段により得られた画像データを色の見えモデルを用いて変換し、出力媒体毎の色域マッピングを行う色域調整手段と、
前記色域調整手段により得られた少なくとも１つの出力媒体用の鑑賞画像参照データに対し色域調整処理を施して、当該出力媒体と異なる出力媒体用の鑑賞画像参照データを生成する生成手段と、
を備えることを特徴とする画像処理装置。
【請求項２６】
前記生成手段により生成される前記少なくとも２つの異なる出力媒体用の鑑賞画像参照データのうち、少なくとも１つが、自己発光して出力する出力媒体用の画像データであり、当該画像データは、他の出力媒体上での鑑賞画像のプルーフ用画像であることを特徴とする請求項２０、２２、２４の何れか一項に記載の画像処理装置。
【請求項２７】
前記生成手段により生成される前記出力媒体と異なる出力媒体用の鑑賞画像参照データが、自己発光して出力する出力媒体用の画像データであり、当該画像データは、他の出力媒体上での鑑賞画像のプルーフ用画像であることを特徴とする請求項２１、２３、２５の何れか一項に記載の画像処理装置。
【請求項２８】
前記輝度拡張色空間がｓｃＲＧＢであることを特徴とする請求項１９、２４、２５の何れか一項に記載の画像処理装置。
【請求項２９】
前記撮影画像データはＲＡＷデータであり、
前記階調マッピングは、その処理条件が、入力情報の解析又は前記撮影画像データの主要被写体に応じて、画像読み取り時に少なくとも一度調整されることを特徴とする請求項１８、１９、２２〜２８の何れか一項に記載の画像処理装置。
【請求項３０】
前記色域マッピングは、その処理条件が、入力情報の解析又は前記撮影画像データの主要被写体に応じて調整されることを特徴とする請求項１７〜２９の何れか一項に記載の画像処理装置。
【請求項３１】
前記入力情報が、画像解析結果、メタデータ、画像ファイル毎に特定可能な形式で画像データに付加された情報のうち、少なくとも１つを備えることを特徴とする請求項２９又は３０に記載の画像処理装置。
【請求項３２】
前記色の見えモデルが、ＣＩＥＣＡＭ９７ｓ又はＣＩＥＣＡＭ０２であることを特徴とする請求項１７〜３１の何れか一項に記載の画像処理装置。
【請求項３３】
撮像画像データに対し、出力媒体上での鑑賞に最適化する画像処理を施して鑑賞画像参照データを生成し、生成された鑑賞画像参照データを出力媒体上に形成する画像記録装置において、
ユーザの編集指示に応じて、撮影画像データを色の見えモデルを用いて変換し、出力媒体毎の色域マッピングを行う色域調整手段を備えることを特徴とする画像記録装置。
【請求項３４】
撮像画像データに対し、出力媒体上での鑑賞に最適化する画像処理を施して鑑賞画像参照データを生成し、生成された鑑賞画像参照データを出力媒体上に形成する画像記録装置において、
ユーザの編集指示に応じて、撮影画像データに対し、階調を調整する処理を施す階調マッピング手段と、
前記階調マッピング手段により得られた画像データを色の見えモデルを用いて変換し、出力媒体毎の色域マッピングを行う色域調整手段と、
を備えることを特徴とする画像記録装置。
【請求項３５】
撮像画像データに対し、出力媒体上での鑑賞に最適化する画像処理を施して鑑賞画像参照データを生成し、生成された鑑賞画像参照データを出力媒体上に形成する画像記録装置において、
ユーザの編集指示に応じて、撮影画像データの色空間を輝度拡張色空間へ変換し、階調を調整する処理を施す階調マッピング手段と、
前記階調マッピング手段により得られた画像データを色の見えモデルを用いて変換し、出力媒体毎の色域マッピングを行う色域調整手段と、
を備えることを特徴とする画像記録装置。
【請求項３６】
撮像画像データに対し、出力媒体上での鑑賞に最適化する画像処理を施して鑑賞画像参照データを生成し、生成された鑑賞画像参照データを出力媒体上に形成する画像記録装置において、
ユーザの編集指示に応じて、撮影画像データを色の見えモデルを用いて変換し、出力媒体毎の色域マッピングを行う色域調整処理を用いて、少なくとも２つの異なる出力媒体用の鑑賞画像参照データを同時に生成する生成手段を備えることを特徴とする画像記録装置。
【請求項３７】
撮像画像データに対し、出力媒体上での鑑賞に最適化する画像処理を施して鑑賞画像参照データを生成し、生成された鑑賞画像参照データを出力媒体上に形成する画像記録装置において、
ユーザの編集指示に応じて、撮影画像データを色の見えモデルを用いて変換し、出力媒体毎の色域マッピングを行う色域調整手段と、
前記色域調整手段により得られた少なくとも１つの出力媒体用の鑑賞画像参照データに対し色域調整処理を施して、当該出力媒体と異なる出力媒体用の鑑賞画像参照データを生成する生成手段と、
を備えることを特徴とする画像記録装置。
【請求項３８】
撮像画像データに対し、出力媒体上での鑑賞に最適化する画像処理を施して鑑賞画像参照データを生成し、生成された鑑賞画像参照データを出力媒体上に形成する画像記録装置において、
ユーザの編集指示に応じて、撮影画像データに対し、階調を調整する処理を施す階調マッピング手段と、
前記階調マッピング手段により得られた画像データを色の見えモデルを用いて変換し、出力媒体毎の色域マッピングを行う色域調整処理を用いて、少なくとも２つの異なる出力媒体用の鑑賞画像参照データを同時に生成する生成手段と、
を備えることを特徴とする画像記録装置。
【請求項３９】
撮像画像データに対し、出力媒体上での鑑賞に最適化する画像処理を施して鑑賞画像参照データを生成し、生成された鑑賞画像参照データを出力媒体上に形成する画像記録装置において、
ユーザの編集指示に応じて、撮影画像データに対し、階調を調整する処理を施す階調マッピング手段と、
前記階調マッピング手段により得られた画像データを色の見えモデルを用いて変換し、出力媒体毎の色域マッピングを行う色域調整手段と、
前記色域調整手段により得られた少なくとも１つの出力媒体用の鑑賞画像参照データに対し色域調整処理を施して、当該出力媒体と異なる出力媒体用の鑑賞画像参照データを生成する生成手段と、
を備えることを特徴とする画像記録装置。
【請求項４０】
撮像画像データに対し、出力媒体上での鑑賞に最適化する画像処理を施して鑑賞画像参照データを生成し、生成された鑑賞画像参照データを出力媒体上に形成する画像記録装置において、
ユーザの編集指示に応じて、撮影画像データの色空間を輝度拡張色空間へ変換し、階調を調整する処理を施す階調マッピング手段と、
前記階調マッピング手段により得られた画像データを色の見えモデルを用いて変換し、出力媒体毎の色域マッピングを行う色域調整処理を用いて、少なくとも２つの異なる出力媒体用の鑑賞画像参照データを同時に生成する生成手段と、
を備えることを特徴とする画像記録装置。
【請求項４１】
撮像画像データに対し、出力媒体上での鑑賞に最適化する画像処理を施して鑑賞画像参照データを生成し、生成された鑑賞画像参照データを出力媒体上に形成する画像記録装置において、
ユーザの編集指示に応じて、撮影画像データの色空間を輝度拡張色空間へ変換し、階調を調整する処理を施す階調マッピング手段と、
前記階調マッピング手段により得られた画像データを色の見えモデルを用いて変換し、出力媒体毎の色域マッピングを行う色域調整手段と、
前記色域調整手段により得られた少なくとも１つの出力媒体用の鑑賞画像参照データに対し色域調整処理を施して、当該出力媒体と異なる出力媒体用の鑑賞画像参照データを生成する生成手段と、
を備えることを特徴とする画像記録装置。
【請求項４２】
前記生成手段により生成される前記少なくとも２つの異なる出力媒体用の鑑賞画像参照データのうち、少なくとも１つが、自己発光して出力する出力媒体用の画像データであり、当該画像データは、他の出力媒体上での鑑賞画像のプルーフ用画像であることを特徴とする請求項３６、３８、４０の何れか一項に記載の画像記録装置。
【請求項４３】
前記生成手段により生成される前記出力媒体と異なる出力媒体用の鑑賞画像参照データが、自己発光して出力する出力媒体用の画像データであり、当該画像データは、他の出力媒体上での鑑賞画像のプルーフ用画像であることを特徴とする請求項３７、３９、４１の何れか一項に記載の画像記録装置。
【請求項４４】
前記輝度拡張色空間がｓｃＲＧＢであることを特徴とする請求項３５、４０、４１の何れか一項に記載の画像記録装置。
【請求項４５】
前記撮影画像データはＲＡＷデータであり、
前記階調マッピングは、その処理条件が、入力情報の解析又は前記撮影画像データの主要被写体に応じて、画像読み取り時に少なくとも一度調整されることを特徴とする請求項３４、３５、３８〜４４の何れか一項に記載の画像記録装置。
【請求項４６】
前記色域マッピングは、その処理条件が、入力情報の解析又は前記撮影画像データの主要被写体に応じて調整されることを特徴とする請求項３３〜４５の何れか一項に記載の画像記録装置。
【請求項４７】
前記入力情報が、画像解析結果、メタデータ、画像ファイル毎に特定可能な形式で画像データに付加された情報のうち、少なくとも１つを備えることを特徴とする請求項４５又は４６に記載の画像記録装置。
【請求項４８】
前記色の見えモデルが、ＣＩＥＣＡＭ９７ｓ又はＣＩＥＣＡＭ０２であることを特徴とする請求項３３〜４７の何れか一項に記載の画像記録装置。
【発明の詳細な説明】
【技術分野】
【０００１】
本発明は、撮影画像データから出力媒体上での鑑賞画像形成用に最適化処理を施す画像処理方法、画像処理装置、出力媒体上に鑑賞画像を形成する画像記録装置に関する。
【背景技術】
【０００２】
近年、カラー写真フィルムのスキャニング画像や、デジタルカメラ等の撮像装置で撮影されたデジタル画像データは、ＣＤ−Ｒ、フロッピー（登録商標）ディスク、メモリーカードなどの記憶デバイスやインターネット経由で配信され、ＣＲＴ（Cathode Ray Tube）、液晶ディスプレイ、プラズマディスプレイ、携帯電話の小型液晶モニタ等の表示デバイスに表示されたり、デジタルプリンタ、インクジェットプリンタ、サーマルプリンタ等の出力デバイスを用いてハードコピー画像としてプリントされたりするなど、その表示方法、プリント方法は多種多様化してきている。
【０００３】
こうした多様の表示方法及びプリント方法に対応して、デジタル画像データの汎用性を高める努力がなされてきた。その一環として、デジタルＲＧＢ信号が表現する色空間を、撮像装置特性に依存しない色空間に標準化する試みがあり、現在では多くのデジタル画像データが標準化された色空間として「ｓＲＧＢ」を採用している（「Multimedia Systems and Equipment-Colour Measurment and Management-Part2-1:Colour Management-Default RGB Colour Space-sRGB」IEC"61966-2-1を参照）。このｓＲＧＢの色空間は、標準的なＣＲＴディスプレイモニタの色再現領域に対応して設定されている。
【０００４】
ところで、ＣＲＴディスプレイモニタ等の表示デバイスで表示される画像や、各種プリントデバイスによりプリントされたハードコピー画像は、用いられている蛍光体又は色材の構成によって色再現域が異なる。例えば、ｓＲＧＢ標準色空間に対応するＣＲＴディスプレイモニタの色再現領域は、明るい緑や青の領域が広く、銀塩写真プリント、インクジェットプリンタ、印刷等のハードコピーでは再現できない領域がある。反対に、印刷・インクジェットのシアン領域や銀塩写真の黄色領域には、ｓＲＧＢ標準色空間に対応するＣＲＴディスプレイモニタでは再現できない領域が存在する（例えばコロナ社「ファインイメージングとディジタル写真」（社）日本写真学会出版委員会編４４４頁参照）。一方、撮影対象となる被写体シーンの中には、これらの何れの色再現領域でも再現できない領域色を呈しているものが存在する可能性がある。
【０００５】
このように、特定のデバイスによる表示やプリントを前提として最適化された色空間（ｓＲＧＢを含む）には、記録可能な色域に制限があるため、撮像デバイスが取得した情報を記録する際には、記録可能な色域に圧縮してマッピングする調整が必要になる。マッピングの方法としては、記録可能な色域の外にある色度点を最寄の色域境界上へマッピングしてしまうクリッピングが最も簡単であるが、これでは色域外のグラデーションが潰れてしまい、鑑賞時に違和感を覚える画像になってしまう。このため現在では、適当な閾値以上にクロマが高い領域の色度点をクロマの大きさに従って滑らかに圧縮する非線形圧縮が一般に採用されている。この結果、記録可能な色域内部の色度点においてもクロマが圧縮されて記録されることになる。（色域のマッピング方法についての詳細は、例えばコロナ社「ファインイメージングとディジタル写真」（社）日本写真学会出版委員会編４４７頁に記載されている。）
【０００６】
また、ＣＲＴディスプレイモニタ等の表示デバイスで表示される画像や、各種プリントデバイスによりプリントされたハードコピー画像、またこれらのデバイスによる表示・プリントを前提として最適化された色空間（ｓＲＧＢを含む）は、記録・再現可能な輝度域が約１００：１オーダーに限定されている。これに対して撮影対象となる被写体シーンは輝度域が広く、屋外では数千：１のオーダーに至ることもしばしば発生する（例えば、東京大学出版会「新編色彩科学ハンドブック第２版」日本色彩学会編９２６頁参照。）。従って、撮像デバイスが取得した情報を記録する際には、輝度についても同様に圧縮が必要になる。この処理は、撮影シーンのダイナミックレンジや、撮影シーン内における主要被写体の輝度レンジに応じて、１画像毎に適切な条件を設定する必要がある。
【０００７】
ところが、上記のような色域・輝度域の圧縮操作をおこなった場合、離散的数値で記録されるデジタル画像の原理に起因して、圧縮されたグラデーション情報やクリッピングされた情報はその時点で失われてしまい、再び元の状態に戻すことができない。このことが、高画質デジタル画像の汎用性において大きな制約になっている。
【０００８】
例えば、ｓＲＧＢ標準色空間において記録された画像をプリントする場合は、ｓＲＧＢ標準色空間とプリントデバイスの色再現域の相違に基づいて、再度マッピングが必要になる。しかしながら、記録時に一旦圧縮された領域のグラデーション情報が失われているため、撮像デバイスが取得した情報を直接プリントデバイスの色再現域にマッピングする場合に比べてグラデーションの滑らかさが悪化する。また、記録時の階調圧縮条件が不適切で、絵が白っぽい・顔が暗い・シャドーの潰れやハイライト領域の白飛びが目立つという問題があった場合、階調設定を変更して画像を改善しようとしても、圧縮されたグラデーション情報や潰れ・白飛び部分の情報は既に失われているために、撮像デバイスが取得した情報から新たに画像を作り直す場合と比べて、著しく不十分な改善しか行うことができない。
【０００９】
画像編集の過程をバックアップとして保存し、必要に応じて編集前の状態に戻す技術は古くから知られている。例えば、特許文献１には、デジタル画像データに対し、画像処理により局所的な変更を施した場合、画像処理前後のデジタル画像データとの差分画像データをバックアップデータとして保存するバックアップ装置が記載されている。また、特許文献２には、画像処理前後のデジタル画像データの差分画像データを取り保存しておくことにより、編集前のデジタル画像データを復元可能にする方法が記載されている。
【００１０】
以上に述べてきた問題は、撮像デバイスが取得した広い色域・輝度域の情報を、鑑賞画像を想定して最適化した状態の鑑賞画像参照データに圧縮して記録することに起因する。これに対して、撮像デバイスが取得した広い色域・輝度域の情報を圧縮しないシーン参照画像データとして記録すれば、不用意な情報の損失を防止することができる。このようなシーン参照画像データを記録するのに適した色空間（以下、「輝度拡張色空間」と称す。）としては、例えば、「ＲＩＭＭ ＲＧＢ」や「ＥＲＩＭＭ ＲＧＢ」（Journal of Imaging Science and Technology 45巻 418〜426頁(2001年)参照）或いは「ｓｃＲＧＢ」（IEC61966-2-2）が知られている。
【００１１】
また、色再現域にマッピングする際、デバイスに依存しない中間の色空間（「機器独立色空間」又は「Device Independent Color」と呼ばれる。）へ変換する方法が知られている。この中間の色空間として、例えばＣＩＥ（国際照明委員会）で定められている色空間であるＸＹＺ(CIE/XYZ)やＬ＊ａ＊ｂ＊(CIE/L*a*b*)が知られている。しかしながら、プリント画像、表示画像を観察する視環境（周囲の光の輝度や色度、背景等）に応じて、観察者の視覚の感度が変化するため、実際に観察者が感じる「色の見え」(Color Appearance)が異なるという問題が生じる。この場合、プリント画像では、視覚の視環境に対する順応作用によって、視環境の影響は低減されるのに対し、ＣＲＴ等の自己発光型デバイスでは、デバイス自体が視環境と異なる色度を与えるため、プリント画像とＣＲＴ表示画像とで、「色の見え」が一致しないという問題が生じていた。
【００１２】
プリント画像とＣＲＴ表示画像との間で、「色の見え」が一致しないという問題を解決するために、視環境の差異を補正した中間の色空間として、色の見えモデル（Color Appearance Model）を用いる方法が知られている（例えば、特許文献３参照。）。このような色の見えモデルとしては、「ＣＩＥＣＡＭ９７ｓ」、「ＣＩＥＣＡＭ０２」（カラーフォーラムJAPAN2003 矢口博久）が知られている。
【特許文献１】特開平７−５７０７４号公報
【特許文献２】特開２００１−９４７７８号公報
【特許文献３】特開平７−２２２１９６号公報
【発明の開示】
【発明が解決しようとする課題】
【００１３】
色の見えモデルを用いると、プリント画像とＣＲＴ表示画像との間の「色の見え」を一致させることはできる。しかしながら、上述の色の見えモデルを用いるのは、ユーザがＣＲＴ表示画像を見ながら画像編集を行い、編集結果をプリント画像として出力する状況であるにも関わらず、従来の色の見えモデルは、画像編集に伴う画質劣化や、作業性の改善については一切考慮されていないという問題があった。画像編集の現状を考えた場合、撮影画像データの保持する情報量や作業性が、デバイスの特性による制限を受け、極めて限定されているにも関わらず、未だ画質劣化の抑制や作業効率の改善は十分とは言い難い。今後、撮影画像データの保持する情報量が大きくなるほど、画像編集に伴う画質劣化や作業性の難易度が増大することが懸念される。
【００１４】
本発明の課題は、撮像デバイスが取得した色域、輝度域の情報を、鑑賞画像を想定して最適化した鑑賞画像参照データに圧縮して記録する際、画像編集に伴う画質劣化を抑制するとともに、ユーザの編集作業効率の改善を図ることである。
【課題を解決するための手段】
【００１５】
上記課題を解決するため、請求項１に記載の発明は、撮像画像データに対し、出力媒体上での鑑賞に最適化する画像処理を施して鑑賞画像参照データを生成する画像処理方法において、ユーザの編集指示に応じて、撮影画像データを色の見えモデルを用いて変換し、出力媒体毎の色域マッピングを行う色域調整工程を含むことを特徴としている。
【００１６】
請求項２に記載の発明は、撮像画像データに対し、出力媒体上での鑑賞に最適化する画像処理を施して鑑賞画像参照データを生成する画像処理方法において、ユーザの編集指示に応じて、撮影画像データに対し、階調を調整する処理を施す階調マッピング工程と、
前記階調マッピング工程において得られた画像データを色の見えモデルを用いて変換し、出力媒体毎の色域マッピングを行う色域調整工程と、を含むことを特徴としている。
【００１７】
請求項３に記載の発明は、撮像画像データに対し、出力媒体上での鑑賞に最適化する画像処理を施して鑑賞画像参照データを生成する画像処理方法において、
ユーザの編集指示に応じて、撮影画像データの色空間を輝度拡張色空間へ変換し、階調を調整する処理を施す階調マッピング工程と、
前記階調マッピング工程において得られた画像データを色の見えモデルを用いて変換し、出力媒体毎の色域マッピングを行う色域調整工程と、を含むことを特徴としている。
【００１８】
請求項４に記載の発明は、撮像画像データに対し、出力媒体上での鑑賞に最適化する画像処理を施して鑑賞画像参照データを生成する画像処理方法において、
ユーザの編集指示に応じて、撮影画像データを色の見えモデルを用いて変換し、出力媒体毎の色域マッピングを行う色域調整処理を用いて、少なくとも２つの異なる出力媒体用の鑑賞画像参照データを同時に生成する生成工程を含むことを特徴としている。
【００１９】
請求項５に記載の発明は、撮像画像データに対し、出力媒体上での鑑賞に最適化する画像処理を施して鑑賞画像参照データを生成する画像処理方法において、
ユーザの編集指示に応じて、撮影画像データを色の見えモデルを用いて変換し、出力媒体毎の色域マッピングを行う色域調整工程と、
前記色域調整工程において得られた少なくとも１つの出力媒体用の鑑賞画像参照データに対し色域調整処理を施して、当該出力媒体と異なる出力媒体用の鑑賞画像参照データを生成する生成工程と、を含むことを特徴としている。
【００２０】
請求項６に記載の発明は、撮像画像データに対し、出力媒体上での鑑賞に最適化する画像処理を施して鑑賞画像参照データを生成する画像処理方法において、
ユーザの編集指示に応じて、撮影画像データに対し、階調を調整する処理を施す階調マッピング工程と、
前記階調マッピング工程において得られた画像データを色の見えモデルを用いて変換し、出力媒体毎の色域マッピングを行う色域調整処理を用いて、少なくとも２つの異なる出力媒体用の鑑賞画像参照データを同時に生成する生成工程と、を含むことを特徴としている。
【００２１】
請求項７に記載の発明は、撮像画像データに対し、出力媒体上での鑑賞に最適化する画像処理を施して鑑賞画像参照データを生成する画像処理方法において、
ユーザの編集指示に応じて、撮影画像データに対し、階調を調整する処理を施す階調マッピング工程と、
前記階調マッピング工程において得られた画像データを色の見えモデルを用いて変換し、出力媒体毎の色域マッピングを行う色域調整工程と、
前記色域調整工程において得られた少なくとも１つの出力媒体用の鑑賞画像参照データに対し色域調整処理を施して、当該出力媒体と異なる出力媒体用の鑑賞画像参照データを生成する生成工程と、を含むことを特徴としている。
【００２２】
請求項８に記載の発明は、撮像画像データに対し、出力媒体上での鑑賞に最適化する画像処理を施して鑑賞画像参照データを生成する画像処理方法において、
ユーザの編集指示に応じて、撮影画像データの色空間を輝度拡張色空間へ変換し、階調を調整する処理を施す階調マッピング工程と、
前記階調マッピング工程において得られた画像データを色の見えモデルを用いて変換し、出力媒体毎の色域マッピングを行う色域調整処理を用いて、少なくとも２つの異なる出力媒体用の鑑賞画像参照データを同時に生成する生成工程と、を含むことを特徴としている。
【００２３】
請求項９に記載の発明は、撮像画像データに対し、出力媒体上での鑑賞に最適化する画像処理を施して鑑賞画像参照データを生成する画像処理方法において、
ユーザの編集指示に応じて、撮影画像データの色空間を輝度拡張色空間へ変換し、階調を調整する処理を施す階調マッピング工程と、
前記階調マッピング工程において得られた画像データを色の見えモデルを用いて変換し、出力媒体毎の色域マッピングを行う色域調整工程と、
前記色域調整工程において得られた少なくとも１つの出力媒体用の鑑賞画像参照データに対し色域調整処理を施して、当該出力媒体と異なる出力媒体用の鑑賞画像参照データを生成する生成工程と、を含むことを特徴としている。
【００２４】
請求項１０に記載の発明は、請求項４、６、８の何れか一項に記載の画像処理方法において、前記生成工程において生成される前記少なくとも２つの異なる出力媒体用の鑑賞画像参照データのうち、少なくとも１つが、自己発光して出力する出力媒体用の画像データであり、当該画像データは、他の出力媒体上での鑑賞画像のプルーフ用画像であることを特徴としている。
【００２５】
請求項１１に記載の発明は、請求項５、７、９の何れか一項に記載の画像処理方法において、前記生成工程において生成される前記出力媒体と異なる出力媒体用の鑑賞画像参照データが、自己発光して出力する出力媒体用の画像データであり、当該画像データは、他の出力媒体上での鑑賞画像のプルーフ用画像であることを特徴としている。
【００２６】
請求項１２に記載の発明は、請求項３、８、９の何れか一項に記載の画像処理方法において、前記輝度拡張色空間がｓｃＲＧＢであることを特徴としている。
【００２７】
請求項１３に記載の発明は、請求項２、３、６〜１２の何れか一項に記載の画像処理方法において、前記撮影画像データはＲＡＷデータであり、
前記階調マッピングは、その処理条件が、入力情報の解析又は前記撮影画像データの主要被写体に応じて、画像読み取り時に少なくとも一度調整されることを特徴としている。
【００２８】
請求項１４に記載の発明は、請求項１〜１３の何れか一項に記載の画像処理方法において、前記色域マッピングは、その処理条件が、入力情報の解析又は前記撮影画像データの主要被写体に応じて調整されることを特徴としている。
【００２９】
請求項１５に記載の発明は、請求項１３又は１４に記載の画像処理方法において、前記入力情報が、画像解析結果、メタデータ、画像ファイル毎に特定可能な形式で画像データに付加された情報のうち、少なくとも１つを含むことを特徴としている。
【００３０】
請求項１６に記載の発明は、請求項１〜１５の何れか一項に記載の画像処理方法において、前記色の見えモデルが、ＣＩＥＣＡＭ９７ｓ又はＣＩＥＣＡＭ０２であることを特徴としている。
【００３１】
請求項１７に記載の発明は、撮像画像データに対し、出力媒体上での鑑賞に最適化する画像処理を施して鑑賞画像参照データを生成する画像処理装置において、
ユーザの編集指示に応じて、撮影画像データを色の見えモデルを用いて変換し、出力媒体毎の色域マッピングを行う色域調整手段を備えることを特徴としている。
【００３２】
請求項１８に記載の発明は、撮像画像データに対し、出力媒体上での鑑賞に最適化する画像処理を施して鑑賞画像参照データを生成する画像処理装置において、
ユーザの編集指示に応じて、撮影画像データに対し、階調を調整する処理を施す階調マッピング手段と、
前記階調マッピング手段により得られた画像データを色の見えモデルを用いて変換し、出力媒体毎の色域マッピングを行う色域調整手段と、を備えることを特徴としている。
【００３３】
請求項１９に記載の発明は、撮像画像データに対し、出力媒体上での鑑賞に最適化する画像処理を施して鑑賞画像参照データを生成する画像処理装置において、
ユーザの編集指示に応じて、撮影画像データの色空間を輝度拡張色空間へ変換し、階調を調整する処理を施す階調マッピング手段と、
前記階調マッピング手段により得られた画像データを色の見えモデルを用いて変換し、出力媒体毎の色域マッピングを行う色域調整手段と、を備えることを特徴としている。
【００３４】
請求項２０に記載の発明は、撮像画像データに対し、出力媒体上での鑑賞に最適化する画像処理を施して鑑賞画像参照データを生成する画像処理装置において、
ユーザの編集指示に応じて、撮影画像データを色の見えモデルを用いて変換し、出力媒体毎の色域マッピングを行う色域調整処理を用いて、少なくとも２つの異なる出力媒体用の鑑賞画像参照データを同時に生成する生成手段を備えることを特徴としている。
【００３５】
請求項２１に記載の発明は、撮像画像データに対し、出力媒体上での鑑賞に最適化する画像処理を施して鑑賞画像参照データを生成する画像処理装置において、
ユーザの編集指示に応じて、撮影画像データを色の見えモデルを用いて変換し、出力媒体毎の色域マッピングを行う色域調整手段と、
前記色域調整手段により得られた少なくとも１つの出力媒体用の鑑賞画像参照データに対し色域調整処理を施して、当該出力媒体と異なる出力媒体用の鑑賞画像参照データを生成する生成手段と、を備えることを特徴としている。
【００３６】
請求項２２に記載の発明は、撮像画像データに対し、出力媒体上での鑑賞に最適化する画像処理を施して鑑賞画像参照データを生成する画像処理装置において、
ユーザの編集指示に応じて、撮影画像データに対し、階調を調整する処理を施す階調マッピング手段と、
前記階調マッピング手段により得られた画像データを色の見えモデルを用いて変換し、出力媒体毎の色域マッピングを行う色域調整処理を用いて、少なくとも２つの異なる出力媒体用の鑑賞画像参照データを同時に生成する生成手段と、を備えることを特徴としている。
【００３７】
請求項２３に記載の発明は、撮像画像データに対し、出力媒体上での鑑賞に最適化する画像処理を施して鑑賞画像参照データを生成する画像処理装置において、
ユーザの編集指示に応じて、撮影画像データに対し、階調を調整する処理を施す階調マッピング手段と、
前記階調マッピング手段により得られた画像データを色の見えモデルを用いて変換し、出力媒体毎の色域マッピングを行う色域調整手段と、
前記色域調整手段により得られた少なくとも１つの出力媒体用の鑑賞画像参照データに対し色域調整処理を施して、当該出力媒体と異なる出力媒体用の鑑賞画像参照データを生成する生成手段と、を備えることを特徴としている。
【００３８】
請求項２４に記載の発明は、撮像画像データに対し、出力媒体上での鑑賞に最適化する画像処理を施して鑑賞画像参照データを生成する画像処理装置において、
ユーザの編集指示に応じて、撮影画像データの色空間を輝度拡張色空間へ変換し、階調を調整する処理を施す階調マッピング手段と、
前記階調マッピング手段により得られた画像データを色の見えモデルを用いて変換し、出力媒体毎の色域マッピングを行う色域調整処理を用いて、少なくとも２つの異なる出力媒体用の鑑賞画像参照データを同時に生成する生成手段と、を備えることを特徴としている。
【００３９】
請求項２５に記載の発明は、撮像画像データに対し、出力媒体上での鑑賞に最適化する画像処理を施して鑑賞画像参照データを生成する画像処理装置において、
ユーザの編集指示に応じて、撮影画像データの色空間を輝度拡張色空間へ変換し、階調を調整する処理を施す階調マッピング手段と、
前記階調マッピング手段により得られた画像データを色の見えモデルを用いて変換し、出力媒体毎の色域マッピングを行う色域調整手段と、
前記色域調整手段により得られた少なくとも１つの出力媒体用の鑑賞画像参照データに対し色域調整処理を施して、当該出力媒体と異なる出力媒体用の鑑賞画像参照データを生成する生成手段と、を備えることを特徴としている。
【００４０】
請求項２６に記載の発明は、請求項２０、２２、２４の何れか一項に記載の画像処理装置において、前記生成手段により生成される前記少なくとも２つの異なる出力媒体用の鑑賞画像参照データのうち、少なくとも１つが、自己発光して出力する出力媒体用の画像データであり、当該画像データは、他の出力媒体上での鑑賞画像のプルーフ用画像であることを特徴としている。
【００４１】
請求項２７に記載の発明は、請求項２１、２３、２５の何れか一項に記載の画像処理装置において、前記生成手段により生成される前記出力媒体と異なる出力媒体用の鑑賞画像参照データが、自己発光して出力する出力媒体用の画像データであり、当該画像データは、他の出力媒体上での鑑賞画像のプルーフ用画像であることを特徴としている。
【００４２】
請求項２８に記載の発明は、請求項１９、２４、２５の何れか一項に記載の画像処理装置において、前記輝度拡張色空間がｓｃＲＧＢであることを特徴としている。
【００４３】
請求項２９に記載の発明は、請求項１８、１９、２２〜２８の何れか一項に記載の画像処理装置において、前記撮影画像データはＲＡＷデータであり、
前記階調マッピングは、その処理条件が、入力情報の解析又は前記撮影画像データの主要被写体に応じて、画像読み取り時に少なくとも一度調整されることを特徴としている。
【００４４】
請求項３０に記載の発明は、請求項１７〜２９の何れか一項に記載の画像処理装置において、前記色域マッピングは、その処理条件が、入力情報の解析又は前記撮影画像データの主要被写体に応じて調整されることを特徴としている。
【００４５】
請求項３１に記載の発明は、請求項２９又は３０に記載の画像処理装置において、前記入力情報が、画像解析結果、メタデータ、画像ファイル毎に特定可能な形式で画像データに付加された情報のうち、少なくとも１つを備えることを特徴としている。
【００４６】
請求項３２に記載の発明は、請求項１７〜３１の何れか一項に記載の画像処理装置において、前記色の見えモデルが、ＣＩＥＣＡＭ９７ｓ又はＣＩＥＣＡＭ０２であることを特徴としている。
【００４７】
請求項３３に記載の発明は、撮像画像データに対し、出力媒体上での鑑賞に最適化する画像処理を施して鑑賞画像参照データを生成し、生成された鑑賞画像参照データを出力媒体上に形成する画像記録装置において、
ユーザの編集指示に応じて、撮影画像データを色の見えモデルを用いて変換し、出力媒体毎の色域マッピングを行う色域調整手段を備えることを特徴としている。
【００４８】
請求項３４に記載の発明は、撮像画像データに対し、出力媒体上での鑑賞に最適化する画像処理を施して鑑賞画像参照データを生成し、生成された鑑賞画像参照データを出力媒体上に形成する画像記録装置において、
ユーザの編集指示に応じて、撮影画像データに対し、階調を調整する処理を施す階調マッピング手段と、
前記階調マッピング手段により得られた画像データを色の見えモデルを用いて変換し、出力媒体毎の色域マッピングを行う色域調整手段と、を備えることを特徴としている。
【００４９】
請求項３５に記載の発明は、撮像画像データに対し、出力媒体上での鑑賞に最適化する画像処理を施して鑑賞画像参照データを生成し、生成された鑑賞画像参照データを出力媒体上に形成する画像記録装置において、
ユーザの編集指示に応じて、撮影画像データの色空間を輝度拡張色空間へ変換し、階調を調整する処理を施す階調マッピング手段と、
前記階調マッピング手段により得られた画像データを色の見えモデルを用いて変換し、出力媒体毎の色域マッピングを行う色域調整手段と、を備えることを特徴としている。
【００５０】
請求項３６に記載の発明は、撮像画像データに対し、出力媒体上での鑑賞に最適化する画像処理を施して鑑賞画像参照データを生成し、生成された鑑賞画像参照データを出力媒体上に形成する画像記録装置において、
ユーザの編集指示に応じて、撮影画像データを色の見えモデルを用いて変換し、出力媒体毎の色域マッピングを行う色域調整処理を用いて、少なくとも２つの異なる出力媒体用の鑑賞画像参照データを同時に生成する生成手段を備えることを特徴としている。
【００５１】
請求項３７に記載の発明は、撮像画像データに対し、出力媒体上での鑑賞に最適化する画像処理を施して鑑賞画像参照データを生成し、生成された鑑賞画像参照データを出力媒体上に形成する画像記録装置において、
ユーザの編集指示に応じて、撮影画像データを色の見えモデルを用いて変換し、出力媒体毎の色域マッピングを行う色域調整手段と、
前記色域調整手段により得られた少なくとも１つの出力媒体用の鑑賞画像参照データに対し色域調整処理を施して、当該出力媒体と異なる出力媒体用の鑑賞画像参照データを生成する生成手段と、を備えることを特徴としている。
【００５２】
請求項３８に記載の発明は、撮像画像データに対し、出力媒体上での鑑賞に最適化する画像処理を施して鑑賞画像参照データを生成し、生成された鑑賞画像参照データを出力媒体上に形成する画像記録装置において、
ユーザの編集指示に応じて、撮影画像データに対し、階調を調整する処理を施す階調マッピング手段と、
前記階調マッピング手段により得られた画像データを色の見えモデルを用いて変換し、出力媒体毎の色域マッピングを行う色域調整処理を用いて、少なくとも２つの異なる出力媒体用の鑑賞画像参照データを同時に生成する生成手段と、を備えることを特徴としている。
【００５３】
請求項３９に記載の発明は、撮像画像データに対し、出力媒体上での鑑賞に最適化する画像処理を施して鑑賞画像参照データを生成し、生成された鑑賞画像参照データを出力媒体上に形成する画像記録装置において、
ユーザの編集指示に応じて、撮影画像データに対し、階調を調整する処理を施す階調マッピング手段と、
前記階調マッピング手段により得られた画像データを色の見えモデルを用いて変換し、出力媒体毎の色域マッピングを行う色域調整手段と、
前記色域調整手段により得られた少なくとも１つの出力媒体用の鑑賞画像参照データに対し色域調整処理を施して、当該出力媒体と異なる出力媒体用の鑑賞画像参照データを生成する生成手段と、を備えることを特徴としている。
【００５４】
請求項４０に記載の発明は、撮像画像データに対し、出力媒体上での鑑賞に最適化する画像処理を施して鑑賞画像参照データを生成し、生成された鑑賞画像参照データを出力媒体上に形成する画像記録装置において、
ユーザの編集指示に応じて、撮影画像データの色空間を輝度拡張色空間へ変換し、階調を調整する処理を施す階調マッピング手段と、
前記階調マッピング手段により得られた画像データを色の見えモデルを用いて変換し、出力媒体毎の色域マッピングを行う色域調整処理を用いて、少なくとも２つの異なる出力媒体用の鑑賞画像参照データを同時に生成する生成手段と、を備えることを特徴としている。
【００５５】
請求項４１に記載の発明は、撮像画像データに対し、出力媒体上での鑑賞に最適化する画像処理を施して鑑賞画像参照データを生成し、生成された鑑賞画像参照データを出力媒体上に形成する画像記録装置において、
ユーザの編集指示に応じて、撮影画像データの色空間を輝度拡張色空間へ変換し、階調を調整する処理を施す階調マッピング手段と、
前記階調マッピング手段により得られた画像データを色の見えモデルを用いて変換し、出力媒体毎の色域マッピングを行う色域調整手段と、
前記色域調整手段により得られた少なくとも１つの出力媒体用の鑑賞画像参照データに対し色域調整処理を施して、当該出力媒体と異なる出力媒体用の鑑賞画像参照データを生成する生成手段と、を備えることを特徴としている。
【００５６】
請求項４２に記載の発明は、請求項３６、３８、４０の何れか一項に記載の画像記録装置において、前記生成手段により生成される前記少なくとも２つの異なる出力媒体用の鑑賞画像参照データのうち、少なくとも１つが、自己発光して出力する出力媒体用の画像データであり、当該画像データは、他の出力媒体上での鑑賞画像のプルーフ用画像であることを特徴としている。
【００５７】
請求項４３に記載の発明は、請求項３７、３９、４１の何れか一項に記載の画像記録装置において、前記生成手段により生成される前記出力媒体と異なる出力媒体用の鑑賞画像参照データが、自己発光して出力する出力媒体用の画像データであり、当該画像データは、他の出力媒体上での鑑賞画像のプルーフ用画像であることを特徴としている。
【００５８】
請求項４４に記載の発明は、請求項３５、４０、４１の何れか一項に記載の画像記録装置において、前記輝度拡張色空間がｓｃＲＧＢであることを特徴としている。
【００５９】
請求項４５に記載の発明は、請求項３４、３５、３８〜４４の何れか一項に記載の画像記録装置において、前記撮影画像データはＲＡＷデータであり、
前記階調マッピングは、その処理条件が、入力情報の解析又は前記撮影画像データの主要被写体に応じて、画像読み取り時に少なくとも一度調整されることを特徴としている。
【００６０】
請求項４６に記載の発明は、請求項３３〜４５の何れか一項に記載の画像記録装置において、前記色域マッピングは、その処理条件が、入力情報の解析又は前記撮影画像データの主要被写体に応じて調整されることを特徴としている。
【００６１】
請求項４７に記載の発明は、請求項４５又は４６に記載の画像記録装置において、前記入力情報が、画像解析結果、メタデータ、画像ファイル毎に特定可能な形式で画像データに付加された情報のうち、少なくとも１つを備えることを特徴としている。
【００６２】
請求項４８に記載の発明は、請求項３３〜４７の何れか一項に記載の画像記録装置において、前記色の見えモデルが、ＣＩＥＣＡＭ９７ｓ又はＣＩＥＣＡＭ０２であることを特徴としている。
【００６３】
次に、本発明において使用される用語について詳細に説明する。
【００６４】
本発明の記載において「撮影画像データ」とは、被写体情報を電気的な信号値として保持したデジタル画像データである。カラー写真フィルムに色素画像情報として記録され、スキャナによる読み取りで生成されたデジタル画像データや、デジタルカメラによる撮影で生成されたデジタル画像データなど、デジタル画像データを得るまでのプロセスは如何なるものであってもよい。
【００６５】
ただし、カラーネガフィルムから、スキャナによる読み取りでデジタル画像データを生成する際は、カラーネガフィルムの未露光部（最低濃度部）がデジタル画像データのＲＧＢ値が全て０となるよう最大透過光量の較正と反転処理を施し、透過光量に正比例したスケールから対数（濃度）スケールへの変換処理と、カラーネガフィルムのガンマ補正処理を施すことにより、被写体の輝度変化に対しほぼ比例した状態を再現しておくことが望ましい。また、デジタルカメラによる撮影で得られたデジタル画像データにおいても同様に、被写体の輝度変化に対しほぼ比例した状態を再現していることが望ましい。このような状態で保存されたデジタル画像データのファイル形式としては、「ＲＡＷデータ」が知られている。即ち、本発明において、撮影画像データは、ＲＡＷデータであることが望ましい。また、被写体の輝度変化に対しほぼ比例した状態で記録されたファイル形式として、後述の「シーン参照画像データ」も知られている。更に、後述の「鑑賞画像参照データ」を撮影画像データとして用いることもできる。また、シーン参照画像データ、鑑賞画像参照データの色空間は、後述の「輝度拡張色空間」（例えば、ｓｃＲＧＢ）であることが望ましい。
【００６６】
以下、シーン参照画像データ及び鑑賞画像参照データについて説明する。
一般の撮影シーンは、照明のムラが多く、輝度比が１０００倍を超えることも珍しくない（例えば、日本色彩学会編  色彩科学ハンドブック第２版, 東京大学出版会, p925-926 (1998)を参照。）。これに対して、各種メディアが表示可能なる輝度比は１００倍オーダーである。必然的に写真階調はシーン階調と異なることになり、１００倍オーダーの輝度比のメディア上で、１０００倍オーダーの輝度比のシーンの印象をいかに適切に演出するかが写真設計の基本である。
【００６７】
このシーン階調から写真階調への変換は、シーンの状態（構図内の輝度比、主要被写体の輝度等）により適切なマッピング条件が異なり、一律に決定することができない。そこで銀塩写真の場合には下記のアーキテクチャが採用されている。
［設計１］ネガフィルムは、数千倍オーダーの輝度比に応じてリニアに濃度が変化する軟調設計にする。これにより、シーンの輝度情報は漏れなくネガフィルムに記録される。
［設計２］上記の軟調なネガフィルム画像を、硬調な印画紙に焼き付けることで、鑑賞に適した階調とする。焼き付け露光量を調節することで、幅広いシーン輝度のどこを中心に写真階調を再現するかを選択する。
【００６８】
設計２では、ネガフィルム画像をプリンタが自動解析することで適切な条件を算出している。この算出結果が撮影の意図と合致しなかった場合、ユーザがその旨を指摘して「焼き直し」をすれば、適切な写真を作成することができる。ユーザの指摘としては、例えば、風景描写を優先したプリントに対して、日陰の人物を重視したいと指摘する等の例が挙げられる。
【００６９】
リバーサルフィルムの場合、フィルム現像で直接鑑賞用画像を生成するため、設計１のような軟調設計ができない。よって、リバーサルフィルムは記録可能な輝度比の幅が狭く、適正な画像を撮影するためには、撮影時に撮影条件（照明、絞り、シャッター）を慎重に設定する必要があり、撮影後に「焼き直し」等で修正することはできない。このため、リバーサルフィルムはプロ・ハイエンドアマチュア専用の商品として販売されている。このように、銀塩写真におけるネガフィルムとポジフィルムは、ネガ・ポジの階調差以外に、画像データの性質が異なっていると言える。
【００７０】
このような観点でＤＳＣ（Digital Still Camera）と銀塩写真のアーキテクチャを比較すると、一般用の（ｓＲＧＢの可視画像ファイルを生成する）ＤＳＣの機構は、リバーサルフィルムの機構に相当する。即ち、幅広いシーン輝度のどこを中心に写真階調を再現するかは、露出制御プログラムの精度に依存しており、撮影後に修正することはできない。一方、プロユーザは、Ｒａｗデータ（ＣＣＤ（Charge Coupled Device）が受光した生データ）を記録するＤＳＣを利用し、撮影後に現像ソフトでシーン輝度のどこを中心に写真階調を再現するかを指定している。この方法はネガフィルムの機構に相当する。このように、一般用のＤＳＣによる撮影で生成されるｓＲＧＢ画像とＲａｗデータでは、画像データの性質が異なっていると言える。
【００７１】
こうした画像データの性質の違いは、画像データのレンダリング状態の差異に起因するものであり、この「画像データのレンダリング状態」を示す概念として「Image State」という用語が用いられている。Image State の詳細な定義は、例えば、下記の文献に示されている。“Requirements for Unambiguous Specification of a Color Encoding ISO 22028-1”, Kevin Spaulding, in Proc. Tenth Color Imaging Conference: Color Science and Engineering Systems, Technologies, Applications, IS&T, Springfield, VA, p.106-111 (2002)。
【００７２】
Image Stateの種類を示す用語として、「scene-referred」及び「output-referred」がある。「scene-referred」とは、風景シーンの色度評価値を表現した状態を意味し、例えば、ＤＳＣのＲａｗデータに分光感度等の較正のみを施し、意図的な強調を加えていない画像の状態に相当する。シーン参照画像データは、シーンの色度評価値を相対的に表現したものであるが、付加的なスケール情報をも参照することで絶対的な色度評価値に換算することも可能である。スケール情報としては、OECF（光電変換特性、ISO14524で定義）、絞りのＦナンバー、露光時間が挙げられる。「output-referred」とは、特定の出力機器、観察条件に対して適切な表現にレンダリングされた状態を意味する。例えば、一般的なＤＳＣが生成するＪＰＥＧ画像はディスプレイ表示に最適化されているので「鑑賞画像参照データ」に該当する。
【００７３】
本発明における「シーン参照画像データ」とは、scene-referredのimage stateに属する画像データの一種であり、特に記録された画素の輝度値とシーン輝度の関係が実質的に一次直線の関係にあるものを意味している。また、本発明における「鑑賞画像参照データ」とは、output-referredのimage stateに属する画像データを意味している。
【００７４】
まとめると、「シーン参照画像データ」とは、少なくとも撮像素子自体の分光感度に基づく各色チャンネルの信号強度を、ＲＩＭＭ ＲＧＢ、ＥＲＩＭＭ ＲＧＢ、ｓｃＲＧＢ等の色空間（後述の「輝度拡張色空間」）にマッピング済みであり、階調変換、鮮鋭性強調、彩度強調のような画像鑑賞時の効果を向上するためにデータ内容を改変する画像処理が省略された状態の画像データを意味する。またシーン参照画像データは、撮像装置の光電変換特性（ISO1452が定義するopto-electronic conversion function, 例えば、コロナ社「ファインイメージングとディジタル写真」（社）日本写真学会出版委員会編、４７９頁参照。）の補正を行ったものであることが好ましい。標準化されたシーン参照画像データの情報量（例えば階調数）はＡ/Ｄ変換器の性能に準じ、鑑賞画像参照データで必要とされる情報量（例えば階調数）と同等以上であることが好ましい。例えば、鑑賞画像参照データの階調数が１チャンネルあたり８ｂｉｔである場合、シーン参照画像データの階調数は１２ｂｉｔ以上が好ましく、１４ｂｉｔ以上がより好ましく、１６ｂｉｔ以上が更に好ましい。
【００７５】
本発明において「出力媒体上での鑑賞に最適化する画像処理」とは、ＣＲＴ、液晶ディスプレイ、プラズマディスプレイ等の表示デバイス、銀塩印画紙、インクジェットペーパー、サーマルプリンタ用紙等の出力媒体上において、最適な画像を得るための処理であり、例えば、ｓＲＧＢ規格に準拠したＣＲＴディスプレイモニタに表示することを前提とした場合、ｓＲＧＢ規格の色域内で最適な色再現が得られるように処理することを意味する。また、銀塩印画紙への出力を前提とした場合、銀塩印画紙の色域内で最適な色再現が得られるように処理することを意味する。また、色域の圧縮の以外にも、１６ｂｉｔから８ｂｉｔへの階調圧縮、出力画素数の低減及び出力デバイスの出力特性（ＬＵＴ）への対応処理等も含まれる。更に、ノイズ抑制、鮮鋭化、グレーバランス調整、彩度調整或いは覆い焼き処理等の階調圧縮処理が含まれることは言うまでもない。
【００７６】
また、「出力媒体上での鑑賞に最適化」された画像データとは、ＣＲＴ、液晶ディスプレイ、プラズマディスプレイ、銀塩印画紙、インクジェットペーパー、サーマルプリンタ用紙等の出力媒体上のハードコピー画像生成に用いるデジタル画像データを意味する。撮像画像データが、シーン参照画像データである場合、「出力媒体上での鑑賞に最適化」された画像データは鑑賞画像参照データに相当する。以下、ＲＡＷデータ又はシーン参照画像データから、鑑賞画像参照データを生成することを、「電子現像処理」（又は単に「現像処理」）と称し、このような処理機能を備えたアプリケーションソフトウェアを「電子現像ソフト」（又は単に「現像ソフト」）と称す。
【００７７】
本発明において「色域調整工程」とは、出力媒体毎の画像の見えの差異を抑制する処理を施す一連の作業工程を意味する。本発明では、ユーザの編集指示に応じて、色域調整を行うことを特徴としている。「色域調整」とは、例えば、銀塩印画紙とインクジェットペーパー上に形成された画像の見えが同一となるように、出力用のデジタル画像データに対し、予め夫々の出力特性（例えば「色域」）に応じて定義されたルックアップテーブル（以下、単に「ＬＵＴ」又は「プロファイル」と称す）などによる変換処理（「出力媒体毎の色域マッピング」と称す）を施すことであり、従来から一般的な手法として知られている。また、出力媒体毎の色域マッピングを施す際、事前にデバイスに依存しない中間の色空間（「機器独立色空間」又は「Device Independent Color」と称す。）へ変換する方法が知られている。この中間の色空間としては、例えば、ＣＩＥ（国際照明委員会）で定められている色空間であるＸＹＺ(CIE/XYZ)やＬ＊ａ＊ｂ＊(CIE/L*a*b*)がある。本発明では、この中間の色空間への変換に、更に、後述するＣＩＥＣＡＭ９７ｓ又はＣＩＥＣＡＭ０２を用いることを特徴としている。
【００７８】
本発明において「撮影画像データを色の見えモデルを用いて変換」するとは、撮影画像データに対し、撮影時の光源色温度等の視環境の違いを補正するとともに、出力媒体の観察時に想定される視環境に合わせて変換する処理を施すことである。
【００７９】
「色の見えモデル」とは、種々の観察条件下における「色の見え」を予測することが可能なモデルであり、より具体的には、測色値から、観察条件をパラメータとする変換を行い、指定の観察条件下における「色の見え」を表わす値を算出するモデルである。このような色の見えモデルとして、国際照明委員会（ＣＩＥ）によって標準モデルとして勧告されたＣＩＥＣＡＭ９７ｓ又はＣＩＥＣＡＭ０２を用いることが望ましい。
【００８０】
<色の見えモデル>
以下、色の見えモデルについて詳細に説明する。以下では、色の見えモデルとしてＣＩＥＣＡＭ９７ｓが適用された場合について説明する。まず、図１のフローチャートを参照して、色の見えモデルによる正変換について説明する。色の見えモデルへの入力データとして必要になるのは、以下のデータである。
見えを予測したい色の３刺激値：  X、Y、Z
入力画像に関する観察条件パラメータ
順応視野における白色の３刺激値：  Xw、Yw、Zw
順応視野の平均輝度：  LA
背景の相対輝度：  Yb
周辺の条件により決定する定数：  c、Nc、FLL、F
【００８１】
ステップＴ１で、入力画像データの各画素のＲＧＢ値が、色の３刺激値ＸＹＺに変換される。画像データがｓｃＲＧＢで記載されている場合は、ＲＧＢ値は、次式により色の３刺激値Ｘ、Ｙ，Ｚに変換される。
【数１】
2005208817.tif 000003
【００８２】
また、ｓＲＧＢの場合は、ＲＧＢ値は、次式により色の３刺激値Ｘ、Ｙ，Ｚに変換される。
【数２】
2005208817.tif 000004
【数３】
2005208817.tif 000005
【数４】
2005208817.tif 000006
【数５】
2005208817.tif 000007
【００８３】
また、Ｒａｗデータの場合は、デジタルカメラの特性を記述したICCプロファイルを用いて変換される。具体的には、プロファイル内に記述されている、3×3マトリックス情報を用いて、上記と同様の変換が実行される。
【００８４】
次に、ステップＴ２で、設定された観察条件パラメータから、後の計算で使用する以下の値を計算する。
【数６】
2005208817.tif 000008
【００８５】
次に、ステップＴ３で、画像データに対して色順応変換が行われる。色順応変換は、フォンクリースタイプの色順応変換を改良したもので、観察条件下での白色に対する順応度合いが考慮されている。まず、次式により、Ｘ、Ｙ、Ｚが
【数７】
2005208817.tif 000009
に変換される（以下、文章中では、それぞれ、R1、G1、B1と表現する。）。
【数８】
2005208817.tif 000010
ここで、変換マトリックスＭBとして、以下を使用する。
【数９】
2005208817.tif 000011
【００８６】
上記のようにして変換したR1、G1、B1から、次式によって色順応変換した応答、Rc、Gc、Bcが算出される。
【数１０】
2005208817.tif 000012
ここでRw、Gw、Bwは、順応白色の３刺激値をマトリックスＭBによって変換したものである。
【００８７】
次に、ステップＴ４で、色順応処理が施された画像データが、人間の視覚系のセンサに相当する錐体の応答R'、G'、B'に変換される。まず、次式に示すように、マトリックスＭBによる変換の逆変換が行われ、それからHunt-Pointer-Estevez変換と呼ばれる3×3マトリックスがかけられる。
【数１１】
2005208817.tif 000013
【００８８】
次に、ステップＴ５で、錐体応答に変換された画像データに対し、視覚系の非線形応答に対応した以下の変換が行われる。
【数１２】
2005208817.tif 000014
【００８９】
最後に、ステップＴ６で、色の見えを予測する数値、色相角：h、明度：J、クロマ：Cが、それぞれ下記の式に従って算出される。
【数１３】
2005208817.tif 000015
【００９０】
h1、h2、e1、e2については、以下の表から検索される。h＜h1の場合はh'＝h＋360、それ以外はh'＝hとし、表１でhi≦h'＜hi+1を満たすiを求め、h1＝hi、h2＝hi+1、e1＝ei、e2=ei+1として使用される。
【表１】
2005208817.tif 000016
【００９１】
色の見えモデルとして、ＣＩＥＣＡＭ０２を使用する場合、ステップＴ２以後の処理を以下のように入れ替える。
ステップＴ２で、設定された観察条件パラメータから、後の計算で使用する以下の値が計算される。
【数１４】
2005208817.tif 000017
【００９２】
次に、ステップＴ３で、画像データに対して色順応変換を施される。色順応変換は、フォンクリースタイプの色順応変換を改良したもので、観察条件下での白色に対する順応度合いが考慮されている。まず、次式により、X、Y、ZがR1、G1、B1に変換される。
【数１５】
2005208817.tif 000018
ここで、変換マトリックスMCAT02として、以下が使用される。
【数１６】
2005208817.tif 000019
【００９３】
次いで、変換されたR1、G1、B1から、次式によって色順応変換した応答、Rc、Gc、Bcが算出される。
【数１７】
2005208817.tif 000020
ここでRw、Gw、Bwは、順応白色の３刺激値をマトリックスMCAT02によって変換されたものである。
【００９４】
次に、ステップＴ４で、色順応処理が施された画像データが、人間の視覚系のセンサに相当する錐体の応答R'、G'、B'に変換される。まず、変換マトリックスMCAT02による変換の逆変換が行われ、それからHunt-Pointer-Estevez変換と呼ばれる3×3マトリックスがかけられる。
【数１８】
2005208817.tif 000021
【００９５】
次に、ステップＴ５で、錐体応答に変換された画像データに対し、視覚系の非線形応答に対応した以下の変換が施される。
【数１９】
2005208817.tif 000022
【００９６】
最後に、ステップＴ６で、色の見えを予測する数値、色相角：h、明度：J、クロマ：Cが、それぞれ以下の式に従って算出される。
【数２０】
2005208817.tif 000023
以上の変換により、画像データのＲＧＢ値は、「色の見え」を表わしたJ、C、hの値となる。
【００９７】
次に、図２のフローチャートを参照して、色の見えモデルによる逆変換について説明する。
【００９８】
まず、ステップＴ１１で、出力画像に関係した第２の観察条件パラメータ、Xw'、Yw'、Zw'、LA'、Yb'、c'、Nc'、FLL'、F'から下記変数が算出される。
【数２１】
2005208817.tif 000024
また、図１のステップＴ３〜Ｔ６の演算がXw'、Yw'、Zw'に適用され、Aw'が算出される。
【００９９】
次に、ステップＴ１２で、色の見えを表わすパラメータJ、C、hから非線形応答値Ra'、Ga'、Ba'が算出される。まず、J、Cから、以下の式によりAとｓが求められる。
【数２２】
2005208817.tif 000025
【０１００】
次に、以下の式によりa、bが求められる。
【数２３】
2005208817.tif 000026
ここで、[1+tan2(h)]1/2の計算においては、hの値によって結果を以下の符号とする。
【数２４】
2005208817.tif 000027
【０１０１】
h1、h2、e1、e2については、以下の表から検索される。h＜h1の場合はh'＝h＋360、それ以外はh'＝hとし、表２でhi≦h'＜hi+1を満たすiが求められ、h1＝hi、h2＝hi+1、e1＝ei、e2=ei+1として使用される。
【表２】
2005208817.tif 000028
【０１０２】
Ra'、Ga'、Ba'は、以下の式から算出される。
【数２５】
2005208817.tif 000029
【０１０３】
次に、ステップＴ１３で、非線形応答値Ra'、Ga'、Ba'が逆変換され、錐体応答R'、G'、B'が求められる。
【数２６】
2005208817.tif 000030
ここで、Ra'-1＜0の場合は、次式を使用する。Ga'、Ba'についても同様である。
【数２７】
2005208817.tif 000031
【０１０４】
更に、ステップＴ１４で、錐体応答が逆変換され、RcY、GcY、BcYが算出される。
【数２８】
2005208817.tif 000032
【０１０５】
次に、ステップＴ１５で、色順応逆変換が行われ、測色値に戻される。
はじめに、次式によってYcが算出される。
【数２９】
2005208817.tif 000033
【０１０６】
次に、次式によって、(Y/YC)R、(Y/YC)G、(Y/YC)1/pBが算出される。
【数３０】
2005208817.tif 000034
ここで、（Y/Yc）<0の場合は、(Y/YC)1/pBの値を負にする。
【０１０７】
次に、次式によってY'が算出される。
【数３１】
2005208817.tif 000035
【０１０８】
３刺激値X''、Y''、Z''は、次式によって算出される。
【数３２】
2005208817.tif 000036
【０１０９】
以上で、色の見えを表す値と、第２の観察環境パラメータから、該環境で指定された見えに相当する色の３刺激値X"、Y"、Z"が算出された。この値は、ステップＴ１６で、出力機器の色空間に変換されて出力される。具体的には、モニタ・プリンタの特性を記述したICCプロファイルに記述されている3×3マトリックス情報若しくは３次元ルックアップテーブルを用いて変換される。
【０１１０】
なお、色の見えモデルとしてＣＩＥＣＡＭ０２を用いた場合の逆変換は、以下のようになる。
【０１１１】
まず、ステップＴ１１で、第２の観察条件パラメータから下記変数が算出される。
【数３３】
2005208817.tif 000037
また、順応視野における白色の３刺激値Xw'、Yw'、Zw'について第２の観察条件パラメータを用いて、図１のステップＴ３〜Ｔ６の演算を適用して、Aw'が算出される。
【０１１２】
次に、色の見え値からの非線形応答算出を説明する。
はじめに、色相角の入力値が表３で検索され、hi≦h'＜hi+1を満たすiが求められる。
【表３】
2005208817.tif 000038
【０１１３】
上記iと色の見えの色相成分Hの入力値を用いて、次式が計算される。
【数３４】
2005208817.tif 000039
ここでh'＞360の場合は360を減じた値とする。
【０１１４】
次に、色の見えのクロマを表すCと明度を表すJの入力値を用いて下記変数が計算される。
【数３５】
2005208817.tif 000040
【０１１５】
次に、|sin(hr)|≧|cos(hr)|であれば、次式が計算される。
【数３６】
2005208817.tif 000041
【０１１６】
また、|sin(hr)|＜|cos(hr)|であれば、次式が計算される。
【数３７】
2005208817.tif 000042
【０１１７】
次に、以下の計算が行われる。
【数３８】
2005208817.tif 000043
【０１１８】
次に、ステップＴ１３における非線形応答逆変換の計算を説明する。
【数３９】
2005208817.tif 000044
ここで、sign(x)は、x＞0で1、x＝0で0、x＜0で-1の値をとる関数である。
【０１１９】
次に、ステップＴ１４における錐体応答逆変換の計算を説明する。
【数４０】
2005208817.tif 000045
【０１２０】
次に、ステップＴ１５における色順応逆変換の計算を説明する。
【数４１】
2005208817.tif 000046
色の３刺激値X"、Y"、Z"は、ステップＴ１６で、出力機器の色空間に変換されて出力される。
【０１２１】
なお、色の見えモデルには、ＣＩＥＣＡＭ９７ｓ、ＣＩＥＣＡＭ０２以外にも、納谷モデル、Huntモデル、RLabモデル、LLabモデルなど、いくつも発表されている。これらのモデルをＣＩＥＣＡＭ９７ｓ、ＣＩＥＣＡＭ０２の代わりに用いることも可能である。
【０１２２】
本発明において「出力媒体毎の色域マッピングを行う」とは出力媒体毎の画像の見えの差異を抑制するために、色の見えモデルを用いて変換された画像データに対し、出力媒体毎の色域マッピング処理を施すことである。
【０１２３】
本発明において「ユーザの編集指示に応じて」、「色域マッピングを行う」とは、本発明の実施形態の現像ソフトに備えられた画質（例えば「色再現性」）調整機能を用いて、ユーザが所望の画質となるよう与えた補正値（パラメータ）を受け、色域調整の処理条件を変更しその都度実行することである。現像ソフトに備えられた画質調整機能としては、ノイズ抑制、鮮鋭化、グレーバランス調整、彩度調整、覆い焼き処理等の階調圧縮処理が含まれる。
【０１２４】
本発明において「階調を調整する処理を施す階調マッピング工程」とは、ユーザが希望する階調となるよう与えた編集指示に応じて階調調整処理を行う工程であるが、本発明における「階調マッピング」は、撮影画像データが広い輝度域の情報を保持している場合の輝度域調整機能を備えたことを特徴としている。また、本発明の階調マッピングが、色域調整工程の実行を伴うようにしたことも特徴としている。
【０１２５】
また、階調マッピングによる輝度域調整は、色域調整と同様に、ユーザの編集指示に応じて実行されるだけでなく、請求項１３、２９、４５に記載のように、撮影画像データがＲＡＷデータであるとき、階調マッピングの処理条件が、入力情報の解析又は撮影画像データの主要被写体に応じて、画像読み取り時に少なくとも１度調整されることを特徴としている。
【０１２６】
ここで、「入力情報」とは、請求項１５、３１、４７に記載のように、画像解析結果、メタデータ（光源情報）、画像ファイル毎に特定可能な形式で画像データに付加された情報のうち、少なくとも１つを有することが望ましい。
【０１２７】
また、「画像解析結果」とは、撮影画像データの特徴として、例えば撮影シーンの種別、主要被写体の特徴等、事前に解析された結果の記録されたファイルを意味する。本発明では、階調マッピングにおける輝度調整機能にこれらの情報を用いるため、特に撮影シーンの種別としては、被写体の輝度域を調整する度合いを知る手がかりとなる、逆光撮影程度、ストロボ近接程度等の解析結果を有していることが望ましい。また、「主要被写体の特徴」としては、顔領域の大きさ、顔領域の明るさ或いは画像全体の輝度域に対する、顔領域の明るさの偏り（以下、「肌色明度偏倚量」とも称す）」などの解析結果を有していることが望ましい。
【０１２８】
また、前記入力情報のうち、「メタデータ（光源情報）」とは、ファイルの所定領域（「タグ領域」と称される。）に埋め込まれた情報であり、例えば、Exifファイルの非圧縮ファイルとして採用されている「Baseline Tiff Rev.6.0RGB Full Color Image」及びＪＰＥＧフォーマットに準拠した圧縮データファイル形式で知られている、Exif情報である。
【０１２９】
前記入力情報のうち、「画像ファイル毎に特定可能な形式で画像データに付加された情報」とは、メタデータとしてではなく、画像ファイル毎に特定可能な形式で、Exif情報と同様の内容の記録された付加情報ファイルを意味する。これは、画像ファイル、情報ファイルの一方又は双方に対して添付された、両者を関連付けるための情報又は別途関連情報が記載されたステータスファイルである。
【０１３０】
また、本発明において「撮影画像データの主要被写体に応じて」とは、前述の撮影シーンの種別、主要被写体の特徴等の画像解析を、本発明の実施形態である現像ソフトが行い、その結果に応じて、階調マッピングにおける輝度域調整を実行することである。
【０１３１】
また、本発明の記載において「撮影画像データの色空間を輝度拡張色空間へ変換」するとは、本発明の階調マッピングが、広い輝度域の情報を保持した撮影画像データに対し、輝度域を調整した後、使われない残りの輝度域情報を一時的に保持するためのファイル形式へと変換することを意図するものである。
【０１３２】
以下、「輝度拡張色空間」について、詳細に説明する。
現在ＤＳＣ画像で普遍的に用いられているｓＲＧＢ色空間は、ＩＥＣ(International Electrotechnical Commission)によりIEC61966-2-1として規格定義されている。例えば、８ｂｉｔの場合、黒色点は８ｂｉｔの最小値である０、白色点は８ｂｉｔの最高値である２５５と規定され、かつ画像データを表示、印刷する時のガンマは２．２と規定されている。ここで白色点とは何を指すのかが問題になる。白色点としては［１］表示・印刷する際のメディアの白地、［２］撮影シーンにおける完全拡散反射板の白地、［３］撮影シーンにおける輝度最大値（鏡面反射や発光部を含む。）の３通りが考えられるが、現在市場にある表示デバイス・プリンタ・画像関連のアプリケーションソフトウエアは、上記［１］を白色点とみなして稼動している。
【０１３３】
ＤＳＣでの撮影により得られたＲａｗデータを鑑賞画像参照データ（output-referred）に変換する際には、表示・印刷の際に白色表示したいシーン輝度に白色点を割りつけるが、この場合、［２］や［３］の領域が該白色点より撮影輝度値が高いことが多く、白色点以上の画素値は記録できないため、該領域を白く塗りつぶすことになる。しかしながら、ＤＳＣの露光調整は万能ではないため、後で画像を調整する必要が生じる。例えば、額や鼻で光が反射して、顔の中に白ヌケが発生している場合が例として挙げられる。ところが、ｓＲＧＢ色空間で記録した画像では、該領域は白（８ｂｉｔの場合２５５）でクリッピングされており、該領域の撮影情報は失われているため、これを修正することができない。こうした問題を避けるために、上記［３］を白色点としてデータ記録することが考えられるが、表示デバイス・プリンタ・画像関連のアプリケーションソフトウエアは該白色点を［１］として扱うため、こうした画像は暗く軟調に表示・プリントされて鑑賞に適さない。
【０１３４】
こうした問題に対応するため、白色点を超える輝度値の記録を可能にした色空間が提案されている。例えば、IEC61966-2-2が規定するscRGB、scRGB-nl、scYCC-nlや、ANSI/I3A IT10.7466が規定するＲＩＭＭ ＲＧＢ、ＥＲＩＭＭ ＲＧＢが例として挙げられる。本明細書では、こうした色空間を輝度拡張色空間と総称する。
【０１３５】
１６ｂｉｔのｓｃＲＧＢ色空間を例にとって説明する。CIE 1931 XYZ 空間での測色値を、黒色点を０、白色点を１で規格化した値をＸ、Ｙ、Ｚとすると、ｓｃＲＧＢのＲ、Ｇ、Ｂ値は式（１）のように定義される。
【数４２】
2005208817.tif 000047
【数４３】
2005208817.tif 000048
【０１３６】
逆に、ｓｃＲＧＢのＲ、Ｇ、Ｂ値からＸ、Ｙ、Ｚ値へは、式（３）及び式（４）のように変換することができる。
【数４４】
2005208817.tif 000049
【数４５】
2005208817.tif 000050
式（１）において、Ｒ'、Ｇ'、Ｂ'は、整数に量子化されない浮動少数点での値を示す。上記の定義により、黒色点の（Ｒ'、Ｇ'、Ｂ'）は（０、０、０）となり、その１６ｂｉｔ表現（Ｒ、Ｇ、Ｂ）は（4096、4096、4096)となる。またＤ65白色点での（Ｒ'、Ｇ'、Ｂ'）は（１、１、１）となり、その１６ｂｉｔ表現（Ｒ、Ｇ、Ｂ）は（12288、12288、12288）となる。１６ｂｉｔ表現においては、０から４０９５までが黒色点以下の輝度、４０９６から１２２８８までが黒色点以上白色点以下の輝度、１２２８９から６５５３５までが白色点を超える輝度に相当し、黒色点を０．０、白色点を１．０で規格化した値において-0.5から7.4999の輝度範囲を表現することができる。
【０１３７】
式（２）は、色空間を１６ｂｉｔの符号無し整数で表現するための変換であり、画像処理装置で浮動少数点を高速に処理できる場合は、式（１）で定義される浮動少数点値（Ｒ'、Ｇ'、Ｂ'）を内部演算で用いてもよい。この（Ｒ'、Ｇ'、Ｂ'）値は、輝度に対して比例関係にあるために画像処理の演算式が簡単になり、浮動少数点処理が許される場合の本発明の内部演算としては好ましい態様である。
【０１３８】
なお、ｓｃＲＧＢは輝度値と一次式の関係にある整数を記録するため、ファイルに記録した時のサイズが大きくなる。そこで、ファイルに記録したり、他の画像処理装置・表示装置・プリンタにデータを送ったりする際には、ｓｃＲＧＢより小さいサイズで記録できる輝度拡張色空間にデータを変換してもよい。こうした色空間としては、IEC61966-2-2 Annex B が規定するscRGB-nl, scYCC-nl や、ANSI/I3A が規定するＲＩＭＭ ＲＧＢが挙げられる。逆にデータサイズが問題にならない場合は、整数値のｓｃＲＧＢの代わりに、浮動少数点表記のデータをファイルに記録したり、他の画像処理装置、表示装置、プリンタにデータ転送する態様も考えられる。このように具体的な輝度拡張色空間の選択は、本発明を適用する装置の仕様に基づき任意に決めることができる。
【０１３９】
本発明では、輝度域調整前に、撮影画像データの色空間を輝度拡張色空間へと変換しておくことが望ましい。また、輝度拡張色空間は、ｓｃＲＧＢであることが望ましい。また、本発明において、輝度拡張色空間の状態を保持したまま色域調整工程を実行することが望ましい。さ更に、出力される鑑賞画像参照データのファイル形式も輝度拡張色空間であることが望ましい。
【０１４０】
請求項４、２０、３６の記載における「ユーザの編集指示に応じて、撮影画像データを色の見えモデルを用いて変換し、出力媒体毎の色域マッピングを行う色域調整処理を用いて、少なくとも２つの異なる出力媒体用の鑑賞画像参照データを同時に生成」とは、従来、一般的な現像ソフトにはなかった、出力媒体（出力デバイスの種類も含む）を選択する機能を想定したものであり、ユーザ編集の度に、複数の鑑賞画像データを生成しておくことを特徴としている。また、請求項１０、２６、４２に記載のように、複数生成される鑑賞画像参照データの内、少なくとも１つを、ＣＲＴ等の表示モニタ上で観察されるプルーフ画像とすることにより、出力媒体上における効果を確認しながら、ユーザの編集作業を行うことができるため好ましい。
【０１４１】
請求項５の記載における「ユーザの編集指示に応じて、前記色域調整工程において得られた少なくとも１つの出力媒体用の鑑賞画像参照データに対し色域調整処理を施して、当該出力媒体と異なる出力媒体用の鑑賞画像参照データを生成」とは、従来、一般的な現像ソフトにはなかった、出力媒体（出力デバイスの種類も含む）を選択する機能を想定したものであり、ユーザ編集の度に、鑑賞画像データを生成しておき、生成された少なくとも１つの鑑賞画像参照データから、他の出力媒体用の鑑賞画像参照データを作り直すことを特徴としている。また、請求項１１、２７、４３に記載のように、鑑賞画像データの作り直しにより生成される鑑賞画像参照データを、ＣＲＴ等の表示モニタ上で観察されるプルーフ画像とすることにより、出力媒体上における効果を確認しながら、ユーザの編集作業を行うことができるため好ましい。
【０１４２】
本発明は、撮影画像データが鑑賞画像参照データである場合、ＲＡＷデータからシーン参照画像データを経て鑑賞画像参照データを生成する工程を削減することができ、作業を効率化させる効果を有している。撮影画像データがシーン参照画像データである場合もまた同様である。
【発明の効果】
【０１４３】
本発明によれば、撮影画像データから鑑賞画像参照データを生成する過程において、撮影画像データを色の見えモデルを用いて変換して、出力媒体毎に色域マッピングする色域調整を行うようにしたことにより、出力媒体毎の見えの差異を抑制することができる。また、ユーザの編集指示によって色域調整を行うようにしたことにより、常に必要な情報が補填され、劣化が抑制されたデジタル画像データを生成することが可能となるとともに、ユーザの編集作業効率を高めることができる。
【０１４４】
また、撮影画像データに対して階調マッピング処理を施して、色域調整処理を施すようにしたことにより、最適な輝度域から、常に必要な情報が補填され、劣化が抑制されたデジタル画像データを生成することが可能となる。
【０１４５】
更に、撮影画像データの色空間を輝度拡張色空間へ変換し、階調マッピング処理を施し、階調マッピング処理後の画像データを輝度拡張色空間として保持した状態で、色域調整処理を行うようにしたことにより、最適な輝度域から、常に必要な情報が補填され、劣化が抑制されたデジタル画像データを生成することが可能となる。また、輝度拡張色空間の鑑賞画像参照データを出力することができ、再処理時の作業効率を向上させることができる。
【０１４６】
また、複数の出力媒体を想定した鑑賞画像参照データを同時に生成しておくことにより、出力媒体を切り替える際の作業効率を向上させることができる。特に、複数作成される鑑賞画像参照データのうちの１つが、自己発光して出力する出力媒体（例えば、ＣＲＴ等の表示モニタ）上で観察可能なプルーフ画像であることにより、ユーザは、その出力媒体上での画像を観察しながら編集作業を行うことができ、編集作業が容易になる。
【０１４７】
更に、色域調整処理により生成された少なくとも１つの出力媒体用の鑑賞画像参照データに対し、再度色域調整処理を施して、当該出力媒体とは異なる出力媒体用の鑑賞画像参照データを生成するようにしたことにより、撮影画像データがＲＡＷデータ以外である場合、鑑賞画像参照データを生成する工程が削減され、作業効率を向上させることができる。特に、色域調整処理により生成された少なくとも１つの出力媒体用の鑑賞画像参照データが、自己発光して出力する出力媒体（例えば、ＣＲＴ等の表示モニタ）上で観察可能なプルーフ画像であることにより、ユーザは、その出力媒体上での画像を観察しながら編集作業を行うことができ、編集作業が容易になる。
【発明を実施するための最良の形態】
【０１４８】
以下、図を参照して本発明の実施形態を詳細に説明する。
まず、図３及び図４を参照して、本発明の実施形態１〜９に共通の構成として、画像記録装置１の外観構成及び内部構成について説明する。
【０１４９】
〈画像記録装置の外観構成〉
図３は、本発明の実施形態１〜９における画像記録装置１の外観構成を示す斜視図である。画像記録装置１は、図３に示すように、筐体２の一側面に、感光材料を装填するためのマガジン装填部３が備えられている。筐体２の内側には、感光材料に露光する露光処理部４と、露光された感光材料を現像処理して乾燥し、プリントを作成するためのプリント作成部５が備えられている。筐体２の他側面には、プリント作成部５で作成されたプリントを排出するためのトレー６が備えられている。
【０１５０】
また、筐体２の上部には、表示装置としてのＣＲＴ（Cathode Ray Tube）８、透過原稿を読み込む装置であるフィルムスキャナ部９、反射原稿入力装置１０、操作部１１が備えられている。このＣＲＴ８が、プリントを作成しようとする画像情報の画像を画面に表示する表示手段を構成している。更に、筐体２には、各種デジタル記録媒体に記録された画像情報を読み取り可能な画像読込部１４、各種デジタル記録媒体に画像信号を書き込み（出力）可能な画像書込部１５が備えられている。また、筐体２の内部には、これらの各部を集中制御する制御部７が備えられている。
【０１５１】
画像読込部１４には、ＰＣカード用アダプタ１４ａ、フロッピー（登録商標）ディスク用アダプタ１４ｂが備えられ、ＰＣカード１３ａやフロッピー（登録商標）ディスク１３ｂが差し込み可能になっている。ＰＣカード１３ａは、例えば、デジタルカメラで撮像された複数の駒画像データが記録されたメモリを有する。フロッピー（登録商標）ディスク１３ｂには、例えば、デジタルカメラで撮像された複数の駒画像データが記録される。ＰＣカード１３ａ及びフロッピー（登録商標）ディスク１３ｂ以外に駒画像データが記録される記録媒体としては、例えば、マルチメディアカード（登録商標）、メモリースティック（登録商標）、ＭＤデータ、ＣＤ−ＲＯＭ等がある。
【０１５２】
画像書込部１５には、フロッピー（登録商標）ディスク用アダプタ１５ａ、ＭＯ用アダプタ１５ｂ、光ディスク用アダプタ１５ｃが備えられ、それぞれ、ＦＤ１６ａ、ＭＯ１６ｂ、光ディスク１６ｃが差し込み可能になっている。光ディスク１６ｃとしては、ＣＤ−Ｒ、ＤＶＤ−Ｒ等がある。
【０１５３】
なお、図３では、操作部１１、ＣＲＴ８、フィルムスキャナ部９、反射原稿入力装置１０、画像読込部１４が、筐体２に一体的に備えられた構造となっているが、これらの何れか１つ以上を別体として設けるようにしてもよい。
【０１５４】
また、図３に示した画像記録装置１では、感光材料に露光して現像してプリントを作成するものが例示されているが、プリント作成方式はこれに限定されず、例えば、インクジェット方式、電子写真方式、感熱方式、昇華方式等の方式を用いてもよい。
【０１５５】
〈画像記録装置１の内部構成〉
図４は、画像記録装置１の内部構成を示すブロック図である。画像記録装置１は、図４に示すように、制御部７、露光処理部４、プリント生成部５、フィルムスキャナ部９、反射原稿入力装置１０、画像読込部１４、通信手段（入力）３２、画像書込部１５、データ蓄積手段７１、テンプレート記憶手段７２、操作部１１、ＣＲＴ８、通信手段（出力）３３により構成される。
【０１５６】
制御部７は、マイクロコンピュータにより構成され、ＲＯＭ（Read Only Memory）等の記憶部（図示略）に記憶されている各種制御プログラムと、ＣＰＵ（Central Processing
Unit）（図示略）との協働により、画像記録装置１を構成する各部の動作を制御する。
【０１５７】
制御部７は、本発明の画像処理装置に係る画像処理部７０を有し、操作部１１からの入力信号（指令情報）に基づいて、フィルムスキャナ部９や反射原稿入力装置１０から読み取られた画像信号、画像読込部１４から読み込まれた画像信号、外部機器から通信手段３２を介して入力された画像信号に対して、画像処理を施して露光用画像情報を形成し、露光処理部４に出力する。また、画像処理部７０は、画像処理された画像信号に対して出力形態に応じた変換処理を施して出力する。画像処理部７０の出力先としては、ＣＲＴ８、画像書込部１５、通信手段（出力）３３等がある。
【０１５８】
露光処理部４は、感光材料に画像の露光を行い、この感光材料をプリント作成部５に出力する。プリント作成部５は、露光された感光材料を現像処理して乾燥し、プリントＰ１、Ｐ２、Ｐ３を作成する。プリントＰ１は、サービスサイズ、ハイビジョンサイズ、パノラマサイズ等のプリントであり、プリントＰ２は、Ａ４サイズのプリントであり、プリントＰ３は、名刺サイズのプリントである。
【０１５９】
フィルムスキャナ部９は、アナログカメラにより撮像された現像済みのネガフィルムＮ、リバーサルフィルム等の透過原稿に記録された駒画像を読み取り、駒画像のデジタル画像信号を取得する。反射原稿入力装置１０は、フラットベットスキャナにより、プリントＰ（写真プリント、書画、各種の印刷物）上の画像を読み取り、デジタル画像信号を取得する。
【０１６０】
画像読込部１４は、ＰＣカード１３ａやフロッピー（登録商標）ディスク１３ｂに記録された駒画像情報を読み出して制御部７に転送する。この画像読込部１４は、画像転送手段３０として、ＰＣカード用アダプタ１４ａ、フロッピー（登録商標）ディスク用アダプタ１４ｂ等を有する。画像読込部１４は、ＰＣカード用アダプタ１４ａに差し込まれたＰＣカード１３ａや、フロッピー（登録商標）ディスク用アダプタ１４ｂに差し込まれたフロッピー（登録商標）ディスク１３ｂに記録された駒画像情報を読み取り、制御部７に転送する。ＰＣカード用アダプタ１４ａとしては、例えばＰＣカードリーダやＰＣカードスロット等が用いられる。
【０１６１】
通信手段（入力）３２は、画像記録装置１が設置された施設内の別のコンピュータや、インターネット等を介した遠方のコンピュータから、撮像画像を表す画像信号やプリント命令信号を受信する。
【０１６２】
画像書込部１５は、画像搬送部３１として、フロッピー（登録商標）ディスク用アダプタ１５ａ、ＭＯ用アダプタ１５ｂ、光ディスク用アダプタ１５ｃを備えている。画像書込部１５は、制御部７から入力される書込信号に従って、フロッピー（登録商標）ディスク用アダプタ１５ａに差し込まれたフロッピー（登録商標）ディスク１６ａ、ＭＯ用アダプタ１５ｂに差し込まれたＭＯ１６ｂ、光ディスク用アダプタ１５ｃに差し込まれた光ディスク１６ｃに、本発明における画像処理方法によって生成された画像信号を書き込む。
【０１６３】
データ蓄積手段７１は、画像情報とそれに対応する注文情報（どの駒の画像から何枚プリントを作成するかの情報、プリントサイズの情報等）とを記憶し、順次蓄積する。
【０１６４】
テンプレート記憶手段７２は、サンプル識別情報Ｄ１、Ｄ２、Ｄ３に対応するサンプル画像データである背景画像、イラスト画像等と合成領域を設定する少なくとも１個のテンプレートのデータを記憶している。オペレータの操作によりセットしてテンプレート記憶手段７２に予め記憶された複数のテンプレートから所定のテンプレートを選択し、駒画像情報は選択されたテンプレートにより合成し、指定されるサンプル識別情報Ｄ１、Ｄ２、Ｄ３に基づいて選択されたサンプル画像データと、注文に基づく画像データ及び／又は文字データとを合成し、指定によるサンプルに基づくプリントを作成する。このテンプレートによる合成は、周知のクロマキー法によって行なわれる。
【０１６５】
なお、プリントのサンプルを指定するサンプル識別情報Ｄ１、Ｄ２、Ｄ３は、操作部２１１から入力されるように構成されているが、これらのサンプル識別情報は、プリントのサンプル又は注文シートに記録されているため、ＯＣＲ等の読み取り手段により読み取ることができる。或いは、オペレータのキーボード操作により入力することもできる。
【０１６６】
このようにプリントのサンプルを指定するサンプル識別情報Ｄ１に対応してサンプル画像データを記録しておき、プリントのサンプルを指定するサンプル識別情報Ｄ１を入力し、この入力されるサンプル識別情報Ｄ１に基づきサンプル画像データを選択し、この選択されたサンプル画像データと、注文に基づく画像データ及び／又は文字データとを合成し、指定によるサンプルに基づくプリントを作成するため、種々の実物大のサンプルをユーザが実際に手にしてプリントの注文ができ、幅広いユーザの多様な要求に応じることができる。
【０１６７】
また、第１のサンプルを指定する第１のサンプル識別情報Ｄ２と第１のサンプルの画像データを記憶し、また、第２のサンプルを指定する第２のサンプル識別情報Ｄ３と第２のサンプルの画像データを記憶し、指定される第１及び第２のサンプル識別情報Ｄ２、Ｄ３とに基づいて選択されたサンプル画像データと、注文に基づく画像データ及び／又は文字データとを合成し、指定によるサンプルに基づくプリントを作成するため、さらに多種多様の画像を合成することができ、より一層幅広いユーザの多様な要求に応じたプリントを作成することができる。
【０１６８】
操作部１１は、情報入力手段１２を有する。情報入力手段１２は、例えば、タッチパネル等により構成されており、情報入力手段１２の押下信号を入力信号として制御部７に出力する。なお、操作部１１は、キーボードやマウス等を備えて構成するようにしてもよい。ＣＲＴ８は、制御部７から入力された表示制御信号に従って、画像情報等を表示する。
【０１６９】
通信手段（出力）３３は、本発明の画像処理を施した後の撮影画像を表す画像信号と、それに付帯するオーダー情報を、画像記録装置１が設置された施設内の他のコンピュータや、インターネット等を介した遠方のコンピュータに対して送信する。
【０１７０】
図４に示すように、画像記録装置１は、各種デジタルメディアの画像及び画像原稿を分割測光して得られた画像情報を取り込む画像入力手段と、画像処理手段と、処理済の画像を表示、プリント出力、画像記録メディアに書き込む画像出力手段と、通信回線を介して施設内の別のコンピュータやインターネット等を介した遠方のコンピュータに対して画像データと付帯するオーダー情報を送信する手段と、を備える。
【０１７１】
［実施形態１］
図５及び図６を参照して、本発明の実施形態１について詳細に説明する。まず、実施形態１における構成について説明する。
【０１７２】
＜画像処理部の内部構成＞
図５は、実施形態１における画像処理部７０の内部構成を示すブロック図である。実施形態１の画像処理部７０は、図５に示すように、画像調整処理部７０１、フィルムスキャンデータ処理部７０２、反射原稿スキャンデータ処理部７０３、画像データ書式解読処理部７０４、テンプレート処理部７０５、ＣＲＴ固有処理部７０６、プリンタ固有処理部Ａ７０７、プリンタ固有処理部Ｂ７０８、画像データ作成処理部７０９により構成される。
【０１７３】
フィルムスキャンデータ処理部７０２は、フィルムスキャナ部９から入力された画像データに対し、フィルムスキャナ部９固有の校正操作、ネガポジ反転（ネガ原稿の場合）、ゴミキズ除去、コントラスト調整、粒状ノイズ除去、鮮鋭化強調等の処理を施し、処理済の画像データを画像調整処理部７０１に出力する。また、フィルムサイズ、ネガポジ種別、フィルムに光学的或いは磁気的に記録された主要被写体に関わる情報、撮影条件に関する情報（例えば、ＡＰＳの記載情報内容）等も併せて画像調整処理部７０１に出力する。
【０１７４】
反射原稿スキャンデータ処理部７０３は、反射原稿入力装置１０から入力された画像データに対し、反射原稿入力装置１０固有の校正操作、ネガポジ反転（ネガ原稿の場合）、ゴミキズ除去、コントラスト調整、ノイズ除去、鮮鋭化強調等の処理を施し、処理済の画像データを画像調整処理部７０１に出力する。
【０１７５】
画像データ書式解読処理部７０４は、画像転送手段３０及び／又は通信手段（入力）３２から入力された画像データに対し、その画像データのデータ書式に従って、必要に応じて圧縮符号の復元、色データの表現方法の変換等の処理を施し、画像処理部７０内の演算に適したデータ形式に変換し、画像調整処理部７０１に出力する。また、画像データ書式解読処理部７０４は、操作部１１、通信手段（入力）３２、画像転送手段３０の何れかから出力画像の大きさが指定された場合、その指定された情報を検出し、画像調整処理部７０１に出力する。なお、画像転送手段３０により指定される出力画像の大きさについての情報は、画像転送手段３０が取得した画像データのヘッダ情報、タグ情報に埋め込まれている。
【０１７６】
画像調整処理部７０１は、操作部１１又は制御部７の指令に基づいて、フィルムスキャナ部９、反射原稿入力装置１０、画像転送手段３０、通信手段（入力）３２、テンプレート処理部７０５から入力された画像データに対して、各種最適化処理を施して、出力媒体上での鑑賞に最適化された出力用のデジタル画像データを生成し、ＣＲＴ固有処理部７０６、プリンタ固有処理部Ａ７０７、プリンタ固有処理部Ｂ７０８、画像データ作成処理部７０９、データ蓄積手段７１に出力する。
【０１７７】
最適化処理においては、例えばｓＲＧＢ規格に準拠したＣＲＴディスプレイモニタに表示することを前提とした場合、ｓＲＧＢ規格の色域内で最適な色再現が得られるように処理される。銀塩印画紙への出力を前提とした場合、銀塩印画紙の色域内で最適な色再現が得られるように処理される。また色域の圧縮の以外にも、１６ｂｉｔから８ｂｉｔへの階調圧縮、出力画素数の低減、出力デバイスの出力特性(ＬＵＴ)への対応処理等も含まれる。更に、ノイズ抑制、鮮鋭化、グレーバランス調整、彩度調整或いは覆い焼き処理等の階調圧縮処理が行われることは言うまでもない。
【０１７８】
本実施形態１の画像調整処理部７０１は、入力された撮影画像データを色の見えモデルを用いて変換し、出力媒体毎の色域マッピングを行う色域調整処理を実行する。画像調整処理部７０１は、この色域調整処理により、撮影画像データをＣＲＴ８に表示するための鑑賞画像参照データを生成する。ＣＲＴ８に表示される画像は、他の出力媒体（例えば、外部プリンタ５１）で鑑賞するためのプルーフ用画像（テスト画像）となり、ユーザは、ＣＲＴ８に表示された画像を見ながら、操作部１１の操作により、編集指示を出すことになる。また、画像調整処理部７０１は、操作部１１の操作により、ＣＲＴ８に表示された画像データに対する編集指示があると、その編集指示に応じて、情報補填処理（撮影画像データの読み直し、必要な情報のみの補填）を行い、再度、撮影画像データに対する色域調整処理を実行する。なお、実施形態１（及び以下の各実施形態）における色域マッピングは、その処理条件が、入力情報の解析又は撮影データの主要被写体に応じて調整される。
【０１７９】
テンプレート処理部７０５は、画像調整処理部７０１からの指令に基づいて、テンプレート記憶手段７２から所定の画像データ（テンプレート）を読み出して、画像処理対象の画像データとテンプレートを合成するテンプレート処理を行い、テンプレート処理後の画像データを画像調整処理部７０１に出力する。
【０１８０】
ＣＲＴ固有処理部７０６は、画像調整処理部７０１から入力された画像データに対して、必要に応じて画素数変更やカラーマッチング等の処理を施し、制御情報等表示が必要な情報と合成した表示用の画像データをＣＲＴ８に出力する。
【０１８１】
プリンタ固有処理部Ａ７０７は、必要に応じてプリンタ固有の校正処理、カラーマッチング、画素数変更等の処理を行い、処理済の画像データを露光処理部４に出力する。
【０１８２】
画像記録装置１に、大判インクジェットプリンタ等の外部プリンタ５１が接続可能な場合には、接続するプリンタ装置毎にプリンタ固有処理部Ｂ７０８が備えられている。このプリンタ固有処理部Ｂ７０８は、プリンタ固有の校正処理、カラーマッチング、画素数変更等の処理を施し、処理済の画像データを外部プリンタ５１に出力する。
【０１８３】
画像データ書式作成処理部７０９は、画像調整処理部７０１から入力された画像データに対して、必要に応じてJPEG、TIFF、Exif等に代表される各種の汎用画像フォーマットへの変換を施し、処理済の画像データを画像搬送部３１や通信手段（出力）３３に出力する。
【０１８４】
なお、図５に示した、フィルムスキャンデータ処理部７０２、反射原稿スキャンデータ処理部７０３、画像データ書式解読処理部７０４、画像調整処理部７０１、ＣＲＴ固有処理部７０６、プリンタ固有処理部Ａ７０７、プリンタ固有処理部Ｂ７０８、画像データ作成処理部７０９、という区分は、画像処理部７０の機能の理解を助けるために設けた区分であり、必ずしも物理的に独立したデバイスとして実現される必要はなく、例えば、単一のＣＰＵによるソフトウエア処理の種類の区分として実現されてもよい。
【０１８５】
次に、本実施形態１における動作について説明する。図６のフローチャートを参照して、実施形態１の画像記録装置１において実行される画像処理について説明する。
【０１８６】
画像調整処理部７０１に撮影画像データが入力されると（ステップＳ１００）、その入力された撮影画像データが色の見えモデルを用いて変換され（ステップＳ１０１）、出力媒体毎の色域マッピングが行われる（ステップＳ１０２）。ステップＳ１０１の色の見えモデル変換及びステップＳ１０２の色域マッピングが、本発明の色域調整工程に対応する。
【０１８７】
ステップＳ１０２においてＣＲＴ用の色域マッピングが行われると、撮影画像データをＣＲＴ８に表示するための鑑賞画像参照データが生成され（ステップＳ１０３）、その生成された画像データがＣＲＴ８に表示される（ステップＳ１０４）。
【０１８８】
ＣＲＴ８に表示された画像データを見ているユーザによる操作部１１の操作により、画像データの編集指示があった場合（ステップＳ１０５；ＹＥＳ）、その編集指示に応じて情報補填処理（撮影画像データの読み直し、必要な情報のみの補填）が行われる（ステップＳ１０６）。情報補填処理後、ステップＳ１０１に戻り、ステップＳ１０１〜Ｓ１０４の処理が繰り返される。
【０１８９】
操作部１１の操作により、画像データの出力指示（例えば、外部プリンタへの出力指示）があった場合（ステップＳ１０５；ＮＯ）、指定された出力媒体に画像出力するための鑑賞画像参照データが生成され（ステップＳ１０７）、その生成された鑑賞画像参照データが、指定された出力媒体に出力され（ステップＳ１０８）、本画像処理が終了する。
【０１９０】
以上のように、本実施形態１によれば、撮影画像データから鑑賞画像参照データを生成する過程において、撮影画像データを色の見えモデルを用いて変換して、出力媒体毎に色域マッピングする色域調整を行うようにしたことにより、出力媒体毎の見えの差異を抑制することができる。また、ユーザの編集指示によって色域調整を行うようにしたことにより、常に必要な情報が補填され、劣化が抑制されたデジタル画像データを生成することが可能となるとともに、ユーザの編集作業効率を高めることができる。
【０１９１】
［実施形態２］
図７〜図１３を参照して、本発明の実施形態２について詳細に説明する。まず、実施形態２における構成について説明する。実施形態２における画像処理部７０の内部構成は、実施形態１において図５に示した構成と同一ゆえ、その図示を省略し、同一符号を用いるものとする。以下では、実施形態２を構成する画像処理部７０の各部のうち、実施形態１の画像処理部７０と異なる部分のみを説明する。
【０１９２】
画像調整処理部７０１は、入力された撮影画像データに対し、階調マッピング（図１０の階調変換処理参照）を施し、階調マッピング処理後の画像データを色の見えモデルを用いて変換し、出力媒体毎の色域マッピングを行う色域調整処理を実行する。画像調整処理部７０１は、この色域調整処理により、撮影画像データをＣＲＴ８に表示するための鑑賞画像参照データを生成する。ＣＲＴ８に表示される画像は、他の出力媒体（例えば、外部プリンタ５１）で鑑賞するためのプルーフ用画像（テスト画像）となり、ユーザは、ＣＲＴ８に表示された画像を見ながら、操作部１１の操作により、編集指示を出すことになる。画像調整処理部７０１は、操作部１１の操作により、ＣＲＴ８に表示された画像データに対する編集指示があると、その編集指示に応じて、情報補填処理（撮影画像データの読み直し、必要な情報のみの補填）を行い、再度、撮影画像データに対する階調マッピング及び色域調整処理を実行する。
【０１９３】
実施形態２（及び実施形態３、６〜９）における「階調マッピング」は、撮影画像データが広い輝度域の情報を保持している場合の輝度域調整機能を備えている。また、本実施形態２（及び実施形態３、６〜９）の階調マッピングは、色域調整の実行を伴う。また、階調マッピングによる輝度域調整は、色域調整と同様に、ユーザの編集指示に応じて実行されるだけでなく、撮影画像データがＲＡＷデータであるとき、階調マッピングの処理条件が、入力情報の解析又は撮影画像データの主要被写体に応じて、画像読み取り時に少なくとも１度調整される。
【０１９４】
次に、本実施形態２における動作について説明する。まず、図７のフローチャートを参照して、画像調整処理部７０１に入力された撮影画像データから撮影シーンを推定（判別）する撮影シーン推定処理について説明する。本撮影シーン推定処理は、ＲＯＭ等の記憶部（図示略）に記憶されている撮影シーン推定処理プログラムとＣＰＵとの協働によるソフトウエア処理により実現され、フィルムスキャンデータ処理部７０２、反射原稿スキャンデータ処理部７０３、画像データ書式解読処理部７０４の何れかから撮影画像データ（画像信号）が入力されることにより開始される。
【０１９５】
フィルムスキャンデータ処理部７０２、反射原稿スキャンデータ処理部７０３、画像データ書式解読処理部７０４の何れかから撮影画像データが入力されると、入力された撮影画像データ（以下、入力画像データという。）に対してグレーバランス調整が施され、ＲＧＢの表色系からＬ＊ａ＊ｂ＊やＨＳＶ等の表色系に変換されることにより、その入力画像データの画素毎の色相値と明度値が取得され（ステップＳ１）、図示しないＲＡＭに記憶される。
【０１９６】
以下、入力された撮影画像データの各画素のＲＧＢ値から色相値、彩度値及び明度値に変換するための算出式の具体例を示す。図８は、ＲＧＢからＨＳＶ表色系に変換することにより色相値、彩度値、明度値を得る変換プログラム（ＨＳＶ変換プログラム）の一例を、プログラムコード（ｃ言語）により示したものである。ＨＳＶ表色系は、色を色相(Hue)、彩度(Saturation)、明度(Value又はBrightness)の３つの要素で表し、マンセルにより提案された表色体系を基にして考案されたものである。
【０１９７】
図８に示すＨＳＶ変換プログラムでは、入力画像データであるデジタル画像データの値を、InR、InG、InBと定義し、算出された色相値をOutHとし、スケールを0〜360と定義し、彩度値をOutS、明度値をOutVとし、単位を0〜255と定義している。
【０１９８】
表色系には、ＨＳＶの他、L*a*b*、L*u*v*、ハンターL*a*b*、YCC、YUV、YIQなど如何なるものを用いてもよいが、本実施形態では、直接色相値と明度値が得られるＨＳＶを用いることが望ましい。
【０１９９】
ＨＳＶ以外の表色系を用いる例として、以下にＬ＊ａ＊ｂ＊を用いる例について説明する。Ｌ＊ａ＊ｂ＊表色系(CIE1976)とは、ＣＩＥ（国際照明委員会）が、１９７６年に定めた均等色空間の１つであり、IEC61966-2-1が規定する式（５）〜式（８）、JISZ8729が規定する式（９）を適用することで、ＲＧＢ値からＬ＊ａ＊ｂ＊値が得られる。得られたａ＊ｂ＊から式（１０）により、色相値(H')、彩度値(S')が得られる。但し、ここで求められる色相(H')、彩度(S')は、上述したＨＳＶ表色系の色相値(H)、彩度値(S)とは異なるものである。なお、本実施形態２（及び実施形態３、６〜９）では、撮影画像データが８ｂｉｔのＲＡＷデータであるものとして記載する。また、撮影画像データが輝度拡張色空間であるｓｃＲＧＢ色空間の場合には、後述の図１１に示す階調マッピング処理を前処理として施し、基準色空間であるｓＲＧＢ空間に変換した画像データを用いる必要がある。
【０２００】
【数４６】
2005208817.tif 000051
【数４７】
2005208817.tif 000052
【数４８】
2005208817.tif 000053
【数４９】
2005208817.tif 000054
【数５０】
2005208817.tif 000055
【数５１】
2005208817.tif 000056
【０２０１】
式（５）〜式（８）は、８ｂｉｔの入力画像データ（RsRGB(8)、GsRGB(8)、BsRGB(8)）から等色関数の三刺激値（Ｘ、Ｙ、Ｚ）に変換することを示している。ここで、等色関数とは、人間の目の分光感度分布を示す関数である。また、式（５）における入力画像データ（RsRGB(8)、GsRGB(8)、BsRGB(8)）のｓＲＧＢは、入力画像データのＲＧＢ値がｓＲＧＢ規格に準拠することを示し、（８）は、８ｂｉｔ（0〜255）の画像データであることを示す。
【０２０２】
また、式（９）は、三刺激値（Ｘ、Ｙ、Ｚ）からＬ＊ａ＊ｂ＊に変換することを示している。式（９）のXn、Yn、Znは、それぞれ、標準白色板のＸ、Ｙ、Ｚを示し、D65は、色温度が６５００Ｋの光を標準白色板に照明したときの刺激値を示す。式（９）では、Xn=0.95、Yn=1.00、Zn=1.09である。
【０２０３】
ステップＳ１において画像データの各画素の色相値及び明度値が取得されると、ｘ軸を色相値(H)、ｙ軸を明度値(V)とした座標平面内に、画素の累積度数分布を示す２次元ヒストグラムが作成される（ステップＳ２）。
【０２０４】
図９に、２次元ヒストグラムの一例を示す。図９に示す２次元ヒストグラムは、ｘ軸を色相値(H）、ｙ軸を明度値(V)とした座標平面内に、画素の累積度数分布の値を有する格子点を表したものである。座標平面の縁にある格子点は、色相値(H)が18、明度値(V)が約13の範囲に分布する画素数の累積度数を保持している。それ以外の格子点は、色相値(H)が36、明度値(S)が約25の範囲に分布する画素数の累積度数を保持している。図９の２次元ヒストグラム上の領域Ａは、色相値(H)が70〜184の緑色相領域を表す。
【０２０５】
次いで、ステップＳ２で作成された２次元ヒストグラムに基づいて、入力画像データが所定の明度領域に分割される（ステップＳ３）。
【０２０６】
具体的には、ステップＳ２で作成された２次元ヒストグラムが、予め定義された少なくとも１つの明度値を境界に、少なくとも２つの平面に分割されることにより、入力画像データが所定の明度領域に分割される。本実施形態では、少なくとも２つの明度値により、３つの平面に分割することが望ましい。境界とする明度値としては、図８のＨＳＶ変換プログラムによる算出値で、85、170と定義することが望ましい。本実施形態においても、２次元ヒストグラム（入力画像データ）を85、170の明度値で３つの明度領域に分割するものとする。これにより、２次元ヒストグラム（入力画像データ）をシャドー領域（明度値0〜84）、中間領域（明度値85〜169）、ハイライト領域（明度値170〜255）に分割することが可能となる。
【０２０７】
入力画像データが所定の明度領域に分割されると、分割された明度領域のそれぞれについて、各領域内の累積度数分布のシグマ値を入力画像データの全画素数で除算することにより、各明度領域が入力画像の画面内に占める割合、即ち、明度領域毎の占有率が算出される（ステップＳ４）。
【０２０８】
次いで、作成された２次元ヒストグラムに基づいて、入力画像データが所定の色相及び明度の組み合わせからなる領域に分割される（ステップＳ５）。
【０２０９】
具体的には、作成された２次元ヒストグラムが、予め定義された少なくとも１つの色相値及び１つの明度値を境界に、少なくとも４つの領域に分割されることにより、入力画像データが所定の色相と明度の組み合わせからなる領域に分割される。本実施形態では、少なくとも１つの色相値と、２つの明度値により、６つの領域に分割することが望ましい。境界とする色相値としては、図８のＨＳＶ変換プログラムによる算出値で70と定義することが望ましい。また、境界とする明度値としては、図８のＨＳＶ変換プログラムによる算出値で、85、170と定義することが望ましい。本実施形態においても、２次元ヒストグラム（入力画像データ）を少なくとも70の色相値、85、170の明度値により分割するものとする。これにより、２次元ヒストグラム（入力画像データ）を、少なくとも肌色相シャドー領域（色相値0〜69、明度値0〜84）、肌色相中間領域（色相値0〜69、明度値85〜169）、肌色相ハイライト領域（色相値0〜69、明度値170〜255）に分割することが可能となる。
【０２１０】
入力画像データが所定の色相及び明度の組み合わせからなる領域に分割されると、分割された領域のそれぞれについて、各領域内の画素の累積度数分布のシグマ値を入力画像データの全画素数で除算することにより、各分割領域が入力画像の画面内に占める割合、即ち、分割領域毎の占有率が算出される（ステップＳ６）。
【０２１１】
次いで、ステップＳ４及び６で求められた占有率に基づいて、入力画像データの撮影シーンが推定される（ステップＳ７）。具体的には、シャドー、中間、ハイライト領域の占有率と、肌色相シャドー領域、肌色相中間領域、肌色相ハイライト領域の占有率により、逆光か、半逆光シーンか、ストロボ撮影か、ストロボ近接撮影か、通常シーンかが推定され、本撮影シーン推定処理は終了する。推定方法としては、例えば、〈定義１〉に示すように、撮影シーンと、シャドー、中間、ハイライト領域の各占有率の大小関係及び肌色相シャドー、肌色相中間、肌色相ハイライト領域の各占有率の大小関係との対応関係を定義してテーブルとしてＲＯＭ等に記憶しておき、この定義に基づいて、撮影シーンを推定することが可能である。
〈定義１〉
シャドー領域の占有率  ・・・Rs
中間領域の占有率      ・・・Rm
ハイライト領域の占有率・・・Rh
肌色相シャドー領域の占有率  ・・・SkRs
肌色相中間領域の占有率      ・・・SkRm、
肌色相ハイライト領域の占有率・・・SkRh
逆光シーン…Rs > Rm , Rh > Rm , SkRs > SkRm > SkRh
ストロボ近接撮影…Rh > Rs , Rh > Rm , SkRh > SkRm > SkRs
通常シーン・・・上記以外
【０２１２】
上述した定義は、逆光シーン、ストロボ近接撮影シーンの夫々におけるシャドー、中間、ハイライト領域の大小関係に、肌色相領域におけるシャドー、中間、ハイライト領域の大小関係の経験則（逆光シーンでは光源である太陽光を背にして被写体を撮影するため被写体の肌領域は明度が低い領域に偏倚し、ストロボ近接撮影においてはストロボ光が被写体に照射されるため肌領域は明度が高い領域に偏倚する）を加えたものであり、従来のように、逆光シーン、ストロボ近接撮影シーンの夫々におけるシャドー、中間、ハイライト領域の大小関係のみで撮影シーンを推定する場合に比べ、精度の高い推定結果を得ることができる。
【０２１３】
次に、図１０のフローチャートを参照して、撮影シーン推定処理の推定結果を、階調変換処理に用いる例について説明する。
【０２１４】
ここで、階調変換処理を行う際に必要な、階調変換後の目標値を定める指標として、画像全体の明るさの平均値を用いるのが一般的である。しかしながら、逆光シーンや、ストロボ撮影シーンなどでは、画像中に極端に明るい領域と、暗い領域とが混在し、かつ重要な被写体である顔領域の明るさが明るい領域と暗い領域のどちらか一方に偏倚するという特徴を有している。即ち、逆光シーンや、ストロボ撮影シーンにおける階調変換処理では、画像全体の明るさの平均値よりは、顔領域の明るさの平均値を用いて、顔領域の明度を適切な値に補正するように調整することが理想的となる。実際の撮影では、明るい領域と暗い領域との明るさの差異は様々に異なるため、その差異の程度に応じて、顔領域の明るさを重視する割合（以下、顔領域の寄与率と称す。）を調整することが望まれる。
【０２１５】
そこで、本実施形態においては、撮影シーンの推定結果を利用して、顔領域と画像全体との明るさの差異の程度を考慮した階調変換処理（階調マッピング）を行う。図１０の階調変換処理（階調マッピング）は、画像調整処理部７０１により実行され、ＲＯＭ等の記憶部（図示略）に記憶されている階調変換処理プログラムとＣＰＵとの協働によるソフトウエア処理により実現されるものであり、フィルムスキャンデータ処理部７０２、反射原稿スキャンデータ処理部７０３、画像データ書式解読処理部７０４の何れかから画像調整処理部７０１に撮影画像データ（画像信号）が入力されることにより開始される。
【０２１６】
まず、撮影シーンの推定が行われる（ステップＳ１１）。ステップＳ１１では、図７に示した撮影シーン推定処理が実行され、撮影シーンが、逆光シーン、半逆光シーン、ストロボ撮影、ストロボ近接撮影、通常シーンの何れかに推定される。
【０２１７】
次いで、入力画像データから顔領域が抽出される（ステップＳ１２）。顔領域の抽出方法には種々の方法が知られているが、本実施形態では、ｘ軸を色相(H)、ｙ軸を彩度(S)とした２次元ヒストグラムを作成し、所定の色相と彩度の組み合わせからなる肌色領域に分布する画素を、顔領域として抽出することが望ましい。２次元ヒストグラムを用いる場合の肌色領域は、図８に示すＨＳＶ変換プログラムによる算出値で色相値が0〜50、彩度値が10〜120であることが望ましい。
【０２１８】
なお、上記の肌色領域を抽出する方法と併せて、顔領域を抽出する画像処理を別途行い、抽出精度を向上させることが望ましい。顔領域を抽出する画像処理には、公知の如何なる処理を用いても良い。公知の顔領域を抽出する画像処理の例としては、単純領域拡張法等が挙げられる。単純領域拡張法とは、肌色の定義に当てはまる画素（肌色画素）が離散的に抽出される場合に、周囲の画素について、その離散的に抽出された肌色画素との差を求め、差が所定の闘値よりも小さい場合には肌色画素と判断し、次第に顔領域を拡張させていくことで、顔領域としての抽出を可能とするものである。また、ニューラルネットワークによる学習機能を用いて肌色領域から顔領域を抽出することも可能である。
【０２１９】
顔領域が抽出されると、抽出された顔領域の平均明度値及び画像全体の平均明度値が算出される（ステップＳ１３）。また、ステップＳ１１で推定された撮影シーンに基づいて、顔領域の寄与率が決定される（ステップＳ１４）。顔領域の寄与率は、例えば、下記の〈定義２〉に示すように、経験値に基づいて、撮影シーンと予め対応付けて設定されている。この撮影シーンと顔領域の寄与率の関係は、テーブル化されてＲＯＭ等に記憶されており、このテーブルが参照されることにより、撮影シーンに基づく顔領域の寄与率が決定される。
〈定義２〉
逆光シーン=100(%）
半逆光シーン=50(%)
ストロボ近接撮影=100(%)
通常シーン=30(%)
ストロボシーン=80(％)
逆光シーンは、顔領域の平均明度値又は画像全体に対する明度偏倚量（詳細後述）に応じて、顔領域の寄与率を調整することが望ましい。上述した例においては、顔領域の平均明度値に閾値を設け、閾値を超えるか否かで逆光シーンの程度を２段階に分けた例を示しているが、更に、逆光シーンの程度を細かく設定してもよい。
【０２２０】
次いで、決定された顔領域の寄与率に基づいて、輝度域の制限指標となる「黒色飽和点」、「白色飽和点」及び入力画像データに適用する「階調変換曲線の種類」が決定される（ステップＳ１５）。ここでの階調マッピング処理は、撮影画像データの輝度域の一部を、例えば、ディスプレイ用の再現輝度域として制限された「基準色空間」、具体的には、ｓＲＧＢ色空間に割り当てることを意味する。即ち、８ｂｉｔの画像データ（０〜２５５）の場合、黒色飽和点は、ｓＲＧＢ空間における０に該当し、白色飽和点は、ｓＲＧＢ空間における２５５に該当する。
【０２２１】
図１１に、輝度域調整の概略を示す。図１１において、横軸は、「輝度拡張色空間」における被写体輝度値を表し、縦軸は、「基準色空間」における被写体輝度値を表している。図１１の点Ａは、輝度拡張色空間上の黒色飽和点を表し、点Ｃは輝度拡張色空間上の白色飽和点を表している。図１１の点Ａ'は、基準色空間上の黒色飽和点を表し、点Ｃ'は基準色空間上の白色飽和点を表している。８ｂｉｔの画像データの場合、点Ａ'は０、点Ｃ'は２５５となる。図１１の点Ｂは、点Ａと点Ｃの中間であり、点Ｂ'は点Ａ'と点Ｃ'の中間である。本実施形態では、点Ｂを撮影画像データの平均明度入力値に設定することにより、点Ａと点Ｃを決定する。平均明度入力値ｃは、画像全体の平均明度値をa、顔領域の平均明度値をb、顔領域の寄与率をRskとすると、下記の式（１１）により求められる。
平均明度入力値ｃ＝ａ×｛1−(Rsk×0.01)｝＋(b×Rsk×0.01)    （１１）
この平均明度入力値を、図１２に示すように、予め設定された平均明度値変換目標値に変換するように階調変換曲線が決定される。
【０２２２】
図１２において、主に、逆光シーンの場合は、平均明度入力値がＣ1、Ｃ2となり、出力値がより明るくなるような階調変換曲線が決定される。通常シーンの場合は、平均明度入力値がＣ3となり、出力値がやや明るくなるような階調変換曲線が決定される。ストロボ近接撮影の場合は、平均明度入力値がＣ4、Ｃ5となり、出力値が入力値と同等か、やや低くなるような階調変換曲線が決定される。
【０２２３】
階調変換曲線の決定は、算出された平均明度入力値に基づいて、階調変換曲線をその都度作り変えることで行ってもよいし、予め階調変換曲線を複数用意しておき、平均明度入力値に応じて階調変換曲線を選択し適用する態様であってもよい。
【０２２４】
階調変換曲線が調整されると、この階調変換曲線が入力画像データに適用（階調マッピング処理）されることによって、入力画像データに階調変換処理が施され（ステップＳ１６）、本階調変換処理は終了する。
【０２２５】
次に、図１３のフローチャートを参照して、実施形態２の画像記録装置１において実行される画像処理について説明する。
【０２２６】
画像調整処理部７０１に撮影画像データが入力されると（ステップＳ２００）、その入力された撮影画像データに対し、階調を調整する階調マッピング（図１０の階調変換処理）が施される（ステップＳ２０１）。次いで、階調マッピング後の画像データが色の見えモデルを用いて変換され（ステップＳ２０２）、出力媒体毎の色域マッピングが行われる（ステップＳ２０３）。ステップＳ２０２の色の見えモデル変換及びステップＳ２０３の色域マッピングが、本発明の色域調整工程に対応する。
【０２２７】
ステップＳ２０３においてＣＲＴ用の色域マッピングが行われると、撮影画像データをＣＲＴ８に表示するための鑑賞画像参照データが生成され（ステップＳ２０４）、その生成された画像データがＣＲＴ８に表示される（ステップＳ２０５）。
【０２２８】
ＣＲＴ８に表示された画像データを見ているユーザによる操作部１１の操作により、画像データの編集指示があった場合（ステップＳ２０６；ＹＥＳ）、その編集指示に応じて情報補填処理（撮影画像データの読み直し、必要な情報のみの補填）が行われる（ステップＳ２０７）。情報補填処理後、ステップＳ２０１に戻り、ステップＳ２０１〜Ｓ２０５の処理が繰り返される。
【０２２９】
操作部１１の操作により、画像データの出力指示（例えば、外部プリンタへの出力指示）があった場合（ステップＳ２０６；ＮＯ）、指定された出力媒体に画像出力するための鑑賞画像参照データが生成され（ステップＳ２０８）、その生成された鑑賞画像参照データが、指定された出力媒体に出力され（ステップＳ２０９）、本画像処理が終了する。
【０２３０】
以上のように、本実施形態２によれば、撮影画像データから鑑賞画像参照データを生成する過程において、撮影画像データに対して階調マッピング処理を施して、色域調整処理を施すようにしたことにより、最適な輝度域から、常に必要な情報が補填され、劣化が抑制されたデジタル画像データを生成することが可能となる。また、ユーザの編集指示によって、階調マッピング及び色域調整を行うようにしたことにより、常に必要な情報が補填され、劣化が抑制されたデジタル画像データを生成することが可能となるとともに、ユーザの編集作業効率を高めることができる。
【０２３１】
［実施形態３］
図１４を参照して、本発明の実施形態３について詳細に説明する。まず、実施形態３における構成について説明する。実施形態３における画像処理部７０の内部構成は、実施形態１において図５に示した構成と同一ゆえ、その図示を省略し、同一符号を用いるものとする。以下では、実施形態３を構成する画像処理部７０の各部のうち、実施形態１の画像処理部７０と異なる部分のみを説明する。
【０２３２】
画像調整処理部７０１は、入力された撮影画像データの色空間を輝度拡張色空間へ変換して、階調マッピング（図１０の階調変換処理）を施す。また、画像調整処理部７０１は、階調マッピングにより得られた画像データを色の見えモデルを用いて変換し、出力媒体毎の色域マッピングを行う色域調整処理を実行する。画像調整処理部７０１は、この色域調整処理により、撮影画像データをＣＲＴ８に表示するための鑑賞画像参照データを生成する。ＣＲＴ８に表示される画像は、他の出力媒体（例えば、外部プリンタ５１）で鑑賞するためのプルーフ用画像（テスト画像）となり、ユーザは、ＣＲＴ８に表示された画像を見ながら、操作部１１の操作により、編集指示を出すことになる。画像調整処理部７０１は、操作部１１の操作により、ＣＲＴ８に表示された画像データに対する編集指示があると、その編集指示に応じて、情報補填処理（撮影画像データの読み直し、必要な情報のみの補填）を行い、再度、撮影画像データに対する輝度拡張色空間への変換、階調マッピング及び色域調整処理を実行する。
【０２３３】
次に、本実施形態３における動作について説明する。図１４のフローチャートを参照して、実施形態３の画像記録装置１において実行される画像処理について説明する。
【０２３４】
画像調整処理部７０１に撮影画像データが入力されると（ステップＳ３００）、その入力された撮影画像データの色空間が輝度拡張色空間に変換され（ステップＳ３０１）、色空間変換後の画像データに、階調を調整する階調マッピング（図１０の階調変換処理）が施される（ステップＳ３０２）。ステップＳ３０１の輝度拡張色空間への変換及びステップＳ３０２の階調マッピングが、本発明の階調マッピング工程に対応する。
【０２３５】
次いで、階調マッピング後の画像データが色の見えモデルを用いて変換され（ステップＳ３０３）、出力媒体毎の色域マッピングが行われる（ステップＳ３０４）。ステップＳ３０３の色の見えモデル変換及びステップＳ３０４の色域マッピングが、本発明の色域調整工程に対応する。
【０２３６】
ステップＳ３０４においてＣＲＴ用の色域マッピングが行われると、撮影画像データをＣＲＴ８に表示するための鑑賞画像参照データが生成され（ステップＳ３０５）、その生成された画像データがＣＲＴ８に表示される（ステップＳ３０６）。
【０２３７】
ＣＲＴ８に表示された画像データを見ているユーザによる操作部１１の操作により、画像データの編集指示があった場合（ステップＳ３０７；ＹＥＳ）、その編集指示に応じて情報補填処理（撮影画像データの読み直し、必要な情報のみの補填）が行われる（ステップＳ３０８）。情報補填処理後、ステップＳ３０１に戻り、ステップＳ３０１〜Ｓ３０６の処理が繰り返される。
【０２３８】
操作部１１の操作により、画像データの出力指示（例えば、外部プリンタへの出力指示）があった場合（ステップＳ３０７；ＮＯ）、指定された出力媒体に画像出力するための鑑賞画像参照データが生成され（ステップＳ３０９）、その生成された鑑賞画像参照データが、指定された出力媒体に出力され（ステップＳ３１０）、本画像処理が終了する。
【０２３９】
以上のように、本実施形態３によれば、撮影画像データの色空間を輝度拡張色空間へ変換し、階調マッピング処理を施し、階調マッピング処理後の画像データを輝度拡張色空間として保持した状態で、色域調整処理を行うようにしたことにより、最適な輝度域から、常に必要な情報が補填され、劣化が抑制されたデジタル画像データを生成することが可能となる。また、輝度拡張色空間の鑑賞画像参照データを出力することができ、再処理時の作業効率を向上させることができる。また、ユーザの編集指示に応じて、撮影画像データに対する輝度拡張色空間への変換、階調マッピング及び色域調整を行うようにしたことにより、常に必要な情報が補填され、劣化が抑制されたデジタル画像データを生成することが可能となるとともに、ユーザの編集作業効率を高めることができる。
【０２４０】
［実施形態４］
図１５を参照して、本発明の実施形態４について詳細に説明する。まず、実施形態４における構成について説明する。実施形態４における画像処理部７０の内部構成は、実施形態１において図５に示した構成と同一ゆえ、その図示を省略し、同一符号を用いるものとする。以下では、実施形態４を構成する画像処理部７０の各部のうち、実施形態１の画像処理部７０と異なる部分のみを説明する。
【０２４１】
画像調整処理部７０１は、入力された撮影画像データを色の見えモデルを用いて変換し、出力媒体毎の色域マッピングを行う色域調整処理を用いて、少なくとも２つの異なる出力媒体（例えば、ＣＲＴ８、外部プリンタ５１等）用の鑑賞画像参照データを同時に生成する。ＣＲＴ用の鑑賞画像参照データは、ＣＲＴ８に表示され、他の出力媒体（例えば、外部プリンタ５１）で鑑賞するためのプルーフ用画像（テスト画像）となり、ユーザは、ＣＲＴ８に表示された画像を見ながら、操作部１１の操作により、編集指示を出すことになる。画像調整処理部７０１は、操作部１１の操作により、ＣＲＴ８に表示された画像データに対する編集指示があると、その編集指示に応じて、情報補填処理（撮影画像データの読み直し、必要な情報のみの補填）を行い、再度、撮影画像データを色の見えモデルを用いて変換し、出力媒体毎の色域マッピングを行う色域調整処理を用いて、少なくとも２つの異なる出力媒体（例えば、ＣＲＴ８、外部プリンタ５１等）用の鑑賞画像参照データを生成する処理を行う。
【０２４２】
次に、本実施形態４における動作について説明する。図１５のフローチャートを参照して、実施形態４の画像記録装置１において実行される画像処理について説明する。
【０２４３】
画像調整処理部７０１に撮影画像データが入力されると（ステップＳ４００）、その入力された撮影画像データが色の見えモデルを用いて変換され（ステップＳ４０１）、２つの異なる出力媒体毎に色域マッピングが行われる（ステップＳ４０２、Ｓ４０３）。ステップＳ４０２では、ＣＲＴ用の色域マッピングが行われ、ステップＳ４０３では、ＣＲＴとは異なる出力媒体（例えば、外部プリンタ）用の色域マッピングが行われる。ステップＳ４０１の色の見えモデル変換と、ステップＳ４０２及びＳ４０３の色域マッピングが、色域調整工程に対応する。
【０２４４】
ステップＳ４０２においてＣＲＴ用の色域マッピングが行われると、撮影画像データをＣＲＴ８に表示するための鑑賞画像参照データが生成され（ステップＳ４０４）、その生成された画像データがＣＲＴ８に表示される（ステップＳ４０５）。ステップＳ４０３において、ＣＲＴ以外の出力媒体（例えば、外部プリンタ）用の色域マッピングが行われると、その出力媒体に画像出力するための鑑賞画像参照データが生成される（ステップＳ４０８）。
【０２４５】
ＣＲＴ８に表示された画像データを見ているユーザによる操作部１１の操作により、画像データの編集指示があった場合（ステップＳ４０６；ＹＥＳ）、その編集指示に応じて情報補填処理（撮影画像データの読み直し、必要な情報のみの補填）が行われる（ステップＳ４０７）。情報補填処理後、ステップＳ４０１に戻り、ステップＳ４０１〜Ｓ４０５及びＳ４０８の処理が繰り返される。
【０２４６】
ステップＳ４０６において、編集指示がなく、画像出力指示があった場合（ステップＳ４０６；ＮＯ）、ステップＳ４０８で生成された鑑賞画像参照データが、該当する出力媒体に出力され（ステップＳ４０９）、本画像処理が終了する。
【０２４７】
以上のように、本実施形態４によれば、撮影画像データから鑑賞画像参照データを生成する過程において、撮影画像データを色の見えモデルを用いて変換して、出力媒体毎に色域マッピングする色域調整を行うようにしたことにより、出力媒体毎の見えの差異を抑制することができる。また、ユーザの編集指示によって色域調整を行うようにしたことにより、常に必要な情報が補填され、劣化が抑制されたデジタル画像データを生成することが可能となるとともに、ユーザの編集作業効率を高めることができる。
【０２４８】
特に、色域マッピングにより、複数の異なる出力媒体を想定した鑑賞画像参照データを同時に生成しておくことにより、出力媒体を切り替える際の作業効率を向上させることができる。また、複数作成される鑑賞画像参照データのうちの１つが、自己発光して出力する出力媒体（例えば、ＣＲＴ）上で観察可能なプルーフ画像であることにより、ユーザは、その出力媒体上での画像を観察しながら編集作業を行うことができ、編集作業が容易になる。
【０２４９】
［実施形態５］
図１６を参照して、本発明の実施形態５について詳細に説明する。まず、実施形態５における構成について説明する。実施形態５における画像処理部７０の内部構成は、実施形態１において図５に示した構成と同一ゆえ、その図示を省略し、同一符号を用いるものとする。以下では、実施形態５を構成する画像処理部７０の各部のうち、実施形態１の画像処理部７０と異なる部分のみを説明する。
【０２５０】
画像調整処理部７０１は、入力された撮影画像データを色の見えモデルを用いて変換し、出力媒体毎の色域マッピングを行う。また、画像調整処理部７０１は、この色域マッピングにおいて得られた１つの出力媒体（例えば、外部プリンタ）用の鑑賞画像参照データを更に色の見えモデルを用いて変換して、他の出力媒体（例えば、ＣＲＴ）用の色域マッピングを行って、当該出力媒体用の鑑賞画像参照データを生成する。ＣＲＴ用の鑑賞画像参照データは、ＣＲＴ８に表示され、他の出力媒体（例えば、外部プリンタ５１）で鑑賞するためのプルーフ用画像（テスト画像）となり、ユーザは、ＣＲＴ８に表示された画像を見ながら、操作部１１の操作により、編集指示を出すことになる。画像調整処理部７０１は、操作部１１の操作により、ＣＲＴ８に表示された画像データに対する編集指示があると、その編集指示に応じて、情報補填処理（撮影画像データの読み直し、必要な情報のみの補填）を行い、再度、上述の色の見えモデル変換、色域マッピングを行う。
【０２５１】
次に、本実施形態５における動作について説明する。図１６のフローチャートを参照して、実施形態５の画像記録装置１において実行される画像処理について説明する。
【０２５２】
画像調整処理部７０１に撮影画像データが入力されると（ステップＳ５００）、その入力された撮影画像データが色の見えモデルを用いて変換され（ステップＳ５０１）、出力媒体毎に色域マッピングが行われ（ステップＳ５０２）、撮影画像データを該当する出力媒体に出力するための鑑賞画像参照データが生成される（ステップＳ５０３）。ステップＳ５０２では、例えば、外部プリンタ用の色域マッピングが行われ、ステップＳ５０３では、外部プリンタに出力するための鑑賞画像参照データが生成される。ステップＳ５０１の色の見えモデル変換とステップＳ５０２の色域マッピングが本発明の色域調整工程に対応する。
【０２５３】
次いで、ステップＳ５０３で生成された鑑賞画像参照データが色の見えモデルを用いて変換され（ステップＳ５０４）、ＣＲＴ用の色域マッピングが行われ（ステップＳ５０５）、撮影画像データをＣＲＴ８に表示するための鑑賞画像参照データが生成される（ステップＳ５０６）。そして、ステップＳ５０６で生成された画像データがＣＲＴ８に表示される（ステップＳ５０７）。ステップＳ５０４の色の見えモデル変換とステップＳ５０５の色域マッピングも、本発明の色域調整工程に対応する。
【０２５４】
ＣＲＴ８に表示された画像データを見ているユーザによる操作部１１の操作により、画像データの編集指示があった場合（ステップＳ５０８；ＹＥＳ）、その編集指示に応じて情報補填処理（撮影画像データの読み直し、必要な情報のみの補填）が行われる（ステップＳ５０９）。情報補填処理後、ステップＳ５０１に戻り、ステップＳ５０１〜Ｓ５０７の処理が繰り返される。
【０２５５】
ステップＳ５０８において、編集指示がなく、画像出力指示があった場合（ステップＳ５０８；ＮＯ）、ステップＳ５０３で生成された鑑賞画像参照データが、該当する出力媒体に出力され（ステップＳ５１０）、本画像処理が終了する。
【０２５６】
以上のように、本実施形態５によれば、撮影画像データから鑑賞画像参照データを生成する過程において、撮影画像データを色の見えモデルを用いて変換して、出力媒体毎に色域マッピングする色域調整を行うようにしたことにより、出力媒体毎の見えの差異を抑制することができる。また、ユーザの編集指示によって色域調整を行うようにしたことにより、常に必要な情報が補填され、劣化が抑制されたデジタル画像データを生成することが可能となるとともに、ユーザの編集作業効率を高めることができる。
【０２５７】
特に、色域調整処理により生成された少なくとも１つの出力媒体用の鑑賞画像参照データに対し、再度色域調整処理を施して、当該出力媒体とは異なる出力媒体用の鑑賞画像参照データを生成するようにしたことにより、撮影画像データがＲＡＷデータ以外である場合、鑑賞画像参照データを生成する工程が削減され、作業効率を向上させることができる。また、色域調整処理により生成された少なくとも１つの出力媒体用の鑑賞画像参照データが、自己発光して出力する出力媒体（例えば、ＣＲＴ等の表示モニタ）上で観察可能なプルーフ画像であることにより、ユーザは、その出力媒体上での画像を観察しながら編集作業を行うことができ、編集作業が容易になる。
【０２５８】
［実施形態６］
図１７を参照して、本発明の実施形態６について詳細に説明する。まず、実施形態６における構成について説明する。実施形態６における画像処理部７０の内部構成は、実施形態１において図５に示した構成と同一ゆえ、その図示を省略し、同一符号を用いるものとする。以下では、実施形態６を構成する画像処理部７０の各部のうち、実施形態１の画像処理部７０と異なる部分のみを説明する。
【０２５９】
画像調整処理部７０１は、入力された撮影画像データに階調マッピング（図１０の階調変換処理参照）を施し、階調マッピング処理後の画像データを色の見えモデルを用いて変換し、出力媒体毎の色域マッピングを行う色域調整処理を用いて、少なくとも２つの異なる出力媒体（例えば、ＣＲＴ８、外部プリンタ５１等）用の鑑賞画像参照データを同時に生成する。ＣＲＴ用の鑑賞画像参照データは、ＣＲＴ８に表示され、他の出力媒体（例えば、外部プリンタ５１）で鑑賞するためのプルーフ用画像（テスト画像）となり、ユーザは、ＣＲＴ８に表示された画像を見ながら、操作部１１の操作により、編集指示を出すことになる。画像調整処理部７０１は、操作部１１の操作により、ＣＲＴ８に表示された画像データに対する編集指示があると、その編集指示に応じて、情報補填処理（撮影画像データの読み直し、必要な情報のみの補填）を行い、再度、撮影画像データを色の見えモデルを用いて変換し、出力媒体毎の色域マッピングを行う色域調整処理を用いて、少なくとも２つの異なる出力媒体（例えば、ＣＲＴ８、外部プリンタ５１等）用の鑑賞画像参照データを生成する処理を行う。
【０２６０】
次に、本実施形態６における動作について説明する。図１７のフローチャートを参照して、実施形態６の画像記録装置１において実行される画像処理について説明する。
【０２６１】
画像調整処理部７０１に撮影画像データが入力されると（ステップＳ６００）、その入力された撮影画像データに対し、階調を調整する階調マッピング（図１０の階調変換処理）が施される（ステップＳ６０１）。次いで、階調マッピング後の画像データが色の見えモデルを用いて変換され（ステップＳ６０２）、２つの異なる出力媒体毎に色域マッピングが行われる（ステップＳ６０３、Ｓ６０４）。ステップＳ６０３では、ＣＲＴ用の色域マッピングが行われ、ステップＳ６０４では、ＣＲＴとは異なる出力媒体（例えば、外部プリンタ）用の色域マッピングが行われる。ステップＳ６０２の色の見えモデル変換と、ステップＳ６０３及びＳ６０４の色域マッピングが、色域調整工程に対応する。
【０２６２】
ステップＳ６０３においてＣＲＴ用の色域マッピングが行われると、撮影画像データをＣＲＴ８に表示するための鑑賞画像参照データが生成され（ステップＳ６０５）、その生成された画像データがＣＲＴ８に表示される（ステップＳ６０６）。ステップＳ６０４において、ＣＲＴ以外の出力媒体（例えば、外部プリンタ）用の色域マッピングが行われると、その出力媒体に画像出力するための鑑賞画像参照データが生成される（ステップＳ６０９）。
【０２６３】
ＣＲＴ８に表示された画像データを見ているユーザによる操作部１１の操作により、画像データの編集指示があった場合（ステップＳ６０７；ＹＥＳ）、その編集指示に応じて情報補填処理（撮影画像データの読み直し、必要な情報のみの補填）が行われる（ステップＳ６０８）。情報補填処理後、ステップＳ６０１に戻り、ステップＳ６０１〜Ｓ６０６及びＳ６０９の処理が繰り返される。
【０２６４】
ステップＳ６０７において、編集指示がなく、画像出力指示があった場合（ステップＳ６０７；ＮＯ）、ステップＳ６０９で生成された鑑賞画像参照データが、該当する出力媒体に出力され（ステップＳ６１０）、本画像処理が終了する。
【０２６５】
以上のように、本実施形態６によれば、撮影画像データから鑑賞画像参照データを生成する過程において、撮影画像データに対して階調マッピング処理を施して、色域調整処理を施すようにしたことにより、最適な輝度域から、常に必要な情報が補填され、劣化が抑制されたデジタル画像データを生成することが可能となる。また、ユーザの編集指示によって、階調マッピング及び色域調整を行うようにしたことにより、常に必要な情報が補填され、劣化が抑制されたデジタル画像データを生成することが可能となるとともに、ユーザの編集作業効率を高めることができる。
【０２６６】
特に、色域マッピングにより、複数の異なる出力媒体を想定した鑑賞画像参照データを同時に生成しておくことにより、出力媒体を切り替える際の作業効率を向上させることができる。また、複数作成される鑑賞画像参照データのうちの１つが、自己発光して出力する出力媒体（例えば、ＣＲＴ）上で観察可能なプルーフ画像であることにより、ユーザは、その出力媒体上での画像を観察しながら編集作業を行うことができ、編集作業が容易になる。
【０２６７】
［実施形態７］
図１８を参照して、本発明の実施形態７について詳細に説明する。まず、実施形態７における構成について説明する。実施形態７における画像処理部７０の内部構成は、実施形態１において図５に示した構成と同一ゆえ、その図示を省略し、同一符号を用いるものとする。以下では、実施形態７を構成する画像処理部７０の各部のうち、実施形態１の画像処理部７０と異なる部分のみを説明する。
【０２６８】
画像調整処理部７０１は、入力された撮影画像データに階調マッピング（図１０の階調変換処理参照）を施し、階調マッピング処理後の画像データを色の見えモデルを用いて変換し、出力媒体毎の色域マッピングを行う。また、画像調整処理部７０１は、この色域マッピングにおいて得られた１つの出力媒体（例えば、外部プリンタ）用の鑑賞画像参照データを更に色の見えモデルを用いて変換して、他の出力媒体（例えば、ＣＲＴ）用の色域マッピングを行って、当該出力媒体用の鑑賞画像参照データを生成する。ＣＲＴ用の鑑賞画像参照データは、ＣＲＴ８に表示され、他の出力媒体（例えば、外部プリンタ５１）で鑑賞するためのプルーフ用画像（テスト画像）となり、ユーザは、ＣＲＴ８に表示された画像を見ながら、操作部１１の操作により、編集指示を出すことになる。画像調整処理部７０１は、操作部１１の操作により、ＣＲＴ８に表示された画像データに対する編集指示があると、その編集指示に応じて、情報補填処理（撮影画像データの読み直し、必要な情報のみの補填）を行い、再度、上述の階調マッピング、色の見えモデル変換及び色域マッピングを行う。
【０２６９】
次に、本実施形態７における動作について説明する。図１８のフローチャートを参照して、実施形態７の画像記録装置１において実行される画像処理について説明する。
【０２７０】
画像調整処理部７０１に撮影画像データが入力されると（ステップＳ７００）、その入力された撮影画像データに対し、階調を調整する階調マッピング（図１０の階調変換処理）が施される（ステップＳ７０１）。次いで、階調マッピング後の画像データが色の見えモデルを用いて変換され（ステップＳ７０２）、出力媒体毎に色域マッピングが行われ（ステップＳ７０３）、撮影画像データを該当する出力媒体に出力するための鑑賞画像参照データが生成される（ステップＳ７０４）。ステップＳ７０３では、例えば、外部プリンタ用の色域マッピングが行われ、ステップＳ７０４では、外部プリンタに出力するための鑑賞画像参照データが生成される。ステップＳ７０２の色の見えモデル変換とステップＳ７０３の色域マッピングが本発明の色域調整工程に対応する。
【０２７１】
次いで、ステップＳ７０４で生成された鑑賞画像参照データが色の見えモデルを用いて変換され（ステップＳ７０５）、ＣＲＴ用の色域マッピングが行われ（ステップＳ７０６）、撮影画像データをＣＲＴ８に表示するための鑑賞画像参照データが生成される（ステップＳ７０７）。そして、ステップＳ７０７で生成された画像データがＣＲＴ８に表示される（ステップＳ７０８）。ステップＳ７０５の色の見えモデル変換とステップＳ７０６の色域マッピングも、本発明の色域調整工程に対応する。
【０２７２】
ＣＲＴ８に表示された画像データを見ているユーザによる操作部１１の操作により、画像データの編集指示があった場合（ステップＳ７０９；ＹＥＳ）、その編集指示に応じて情報補填処理（撮影画像データの読み直し、必要な情報のみの補填）が行われる（ステップＳ７１０）。情報補填処理後、ステップＳ７０１に戻り、ステップＳ７０１〜Ｓ７０８の処理が繰り返される。
【０２７３】
ステップＳ７０９において、編集指示がなく、画像出力指示があった場合（ステップＳ７０９；ＮＯ）、ステップＳ７０４で生成された鑑賞画像参照データが、該当する出力媒体に出力され（ステップＳ７１１）、本画像処理が終了する。
【０２７４】
以上のように、本実施形態７によれば、撮影画像データから鑑賞画像参照データを生成する過程において、撮影画像データに対して階調マッピング処理を施し、色の見えモデルを用いて変換し、出力媒体毎に色域マッピングする色域調整を行うようにしたことにより、出力媒体毎の見えの差異を抑制することができる。また、ユーザの編集指示に応じて色域調整を行うようにしたことにより、常に必要な情報が補填され、劣化が抑制されたデジタル画像データを生成することが可能となるとともに、ユーザの編集作業効率を高めることができる。
【０２７５】
特に、色域調整処理により生成された少なくとも１つの出力媒体用の鑑賞画像参照データに対し、再度色域調整処理を施して、当該出力媒体とは異なる出力媒体用の鑑賞画像参照データを生成するようにしたことにより、撮影画像データがＲＡＷデータ以外である場合、鑑賞画像参照データを生成する工程が削減され、作業効率を向上させることができる。また、色域調整処理により生成された少なくとも１つの出力媒体用の鑑賞画像参照データが、自己発光して出力する出力媒体（例えば、ＣＲＴ等の表示モニタ）上で観察可能なプルーフ画像であることにより、ユーザは、その出力媒体上での画像を観察しながら編集作業を行うことができ、編集作業が容易になる。
【０２７６】
［実施形態８］
図１９を参照して、本発明の実施形態８について詳細に説明する。まず、実施形態８における構成について説明する。実施形態８における画像処理部７０の内部構成は、実施形態１において図５に示した構成と同一ゆえ、その図示を省略し、同一符号を用いるものとする。以下では、実施形態８を構成する画像処理部７０の各部のうち、実施形態１の画像処理部７０と異なる部分のみを説明する。
【０２７７】
画像調整処理部７０１は、入力された撮影画像データの色空間を輝度拡張色空間へ変換して、階調マッピング（図１０の階調変換処理）を施す。また、画像調整処理部７０１は、階調マッピングにより得られた画像データを色の見えモデルを用いて変換し、出力媒体毎の色域マッピングを行う色域調整処理を用いて、少なくとも２つの異なる出力媒体（例えば、ＣＲＴ８、外部プリンタ５１等）用の鑑賞画像参照データを同時に生成する。ＣＲＴ用の鑑賞画像参照データは、ＣＲＴ８に表示され、他の出力媒体（例えば、外部プリンタ５１）で鑑賞するためのプルーフ用画像（テスト画像）となり、ユーザは、ＣＲＴ８に表示された画像を見ながら、操作部１１の操作により、編集指示を出すことになる。画像調整処理部７０１は、操作部１１の操作により、ＣＲＴ８に表示された画像データに対する編集指示があると、その編集指示に応じて、情報補填処理（撮影画像データの読み直し、必要な情報のみの補填）を行い、再度、撮影画像データを色の見えモデルを用いて変換し、出力媒体毎の色域マッピングを行う色域調整処理を用いて、少なくとも２つの異なる出力媒体（例えば、ＣＲＴ８、外部プリンタ５１等）用の鑑賞画像参照データを生成する処理を行う。
【０２７８】
次に、本実施形態８における動作について説明する。図１９のフローチャートを参照して、実施形態８の画像記録装置１において実行される画像処理について説明する。
【０２７９】
画像調整処理部７０１に撮影画像データが入力されると（ステップＳ８００）、その入力された撮影画像データの色空間が輝度拡張色空間に変換され（ステップＳ８０１）、色空間変換後の画像データに、階調を調整する階調マッピング（図１０の階調変換処理）が施される（ステップＳ８０２）。ステップＳ８０１の輝度拡張色空間への変換及びステップＳ８０２の階調マッピングが、本発明の階調マッピング工程に対応する。
【０２８０】
次いで、階調マッピング後の画像データが色の見えモデルを用いて変換され（ステップＳ８０３）、２つの異なる出力媒体毎に色域マッピングが行われる（ステップＳ８０４、Ｓ８０５）。ステップＳ８０４では、ＣＲＴ用の色域マッピングが行われ、ステップＳ８０５では、ＣＲＴとは異なる出力媒体（例えば、外部プリンタ）用の色域マッピングが行われる。ステップＳ８０３の色の見えモデル変換と、ステップＳ８０４及びＳ８０５の色域マッピングが、色域調整工程に対応する。
【０２８１】
ステップＳ８０４においてＣＲＴ用の色域マッピングが行われると、撮影画像データをＣＲＴ８に表示するための鑑賞画像参照データが生成され（ステップＳ８０６）、その生成された画像データがＣＲＴ８に表示される（ステップＳ８０７）。ステップＳ８０５において、ＣＲＴ以外の出力媒体（例えば、外部プリンタ）用の色域マッピングが行われると、その出力媒体に画像出力するための鑑賞画像参照データが生成される（ステップＳ８１０）。
【０２８２】
ＣＲＴ８に表示された画像データを見ているユーザによる操作部１１の操作により、画像データの編集指示があった場合（ステップＳ８０８；ＹＥＳ）、その編集指示に応じて情報補填処理（撮影画像データの読み直し、必要な情報のみの補填）が行われる（ステップＳ８０９）。情報補填処理後、ステップＳ８０１に戻り、ステップＳ８０１〜Ｓ８０７及びＳ８１０の処理が繰り返される。
【０２８３】
ステップＳ８０８において、編集指示がなく、画像出力指示があった場合（ステップＳ８０８；ＮＯ）、ステップＳ８１０で生成された鑑賞画像参照データが、該当する出力媒体に出力され（ステップＳ８１１）、本画像処理が終了する。
【０２８４】
以上のように、本実施形態８によれば、撮影画像データから鑑賞画像参照データを生成する過程において、撮影画像データの色空間を輝度拡張色空間へ変換し、階調マッピング処理を施し、階調マッピング処理後の画像データを輝度拡張色空間として保持した状態で、色域調整処理を行うようにしたことにより、最適な輝度域から、常に必要な情報が補填され、劣化が抑制されたデジタル画像データを生成することが可能となる。また、輝度拡張色空間の鑑賞画像参照データを出力することができ、再処理時の作業効率を向上させることができる。また、ユーザの編集指示に応じて、撮影画像データに対する輝度拡張色空間への変換、階調マッピング及び色域調整を行うようにしたことにより、常に必要な情報が補填され、劣化が抑制されたデジタル画像データを生成することが可能となるとともに、ユーザの編集作業効率を高めることができる。
【０２８５】
特に、色域マッピングにより、複数の異なる出力媒体を想定した鑑賞画像参照データを同時に生成しておくことにより、出力媒体を切り替える際の作業効率を向上させることができる。また、複数作成される鑑賞画像参照データのうちの１つが、自己発光して出力する出力媒体（例えば、ＣＲＴ）上で観察可能なプルーフ画像であることにより、ユーザは、その出力媒体上での画像を観察しながら編集作業を行うことができ、編集作業が容易になる。
【０２８６】
［実施形態９］
図２０を参照して、本発明の実施形態９について詳細に説明する。まず、実施形態９における構成について説明する。実施形態９における画像処理部７０の内部構成は、実施形態１において図５に示した構成と同一ゆえ、その図示を省略し、同一符号を用いるものとする。以下では、実施形態９を構成する画像処理部７０の各部のうち、実施形態１の画像処理部７０と異なる部分のみを説明する。
【０２８７】
画像調整処理部７０１は、入力された撮影画像データの色空間を輝度拡張色空間へ変換して、階調マッピング（図１０の階調変換処理）を施す。また、画像調整処理部７０１は、階調マッピングにより得られた画像データを色の見えモデルを用いて変換し、出力媒体毎の色域マッピングを行う。また、画像調整処理部７０１は、この色域マッピングにおいて得られた１つの出力媒体（例えば、外部プリンタ）用の鑑賞画像参照データを更に色の見えモデルを用いて変換して、他の出力媒体（例えば、ＣＲＴ）用の色域マッピングを行って、当該出力媒体用の鑑賞画像参照データを生成する。ＣＲＴ用の鑑賞画像参照データは、ＣＲＴ８に表示され、他の出力媒体（例えば、外部プリンタ５１）で鑑賞するためのプルーフ用画像（テスト画像）となり、ユーザは、ＣＲＴ８に表示された画像を見ながら、操作部１１の操作により、編集指示を出すことになる。画像調整処理部７０１は、操作部１１の操作により、ＣＲＴ８に表示された画像データに対する編集指示があると、その編集指示に応じて、情報補填処理（撮影画像データの読み直し、必要な情報のみの補填）を行い、再度、上述の輝度拡張色空間への変換、階調マッピング、色の見えモデル変換及び色域マッピングを行う。
【０２８８】
次に、本実施形態９における動作について説明する。図２０のフローチャートを参照して、実施形態９の画像記録装置１において実行される画像処理について説明する。
【０２８９】
画像調整処理部７０１に撮影画像データが入力されると（ステップＳ９００）、その入力された撮影画像データの色空間が輝度拡張色空間に変換され（ステップＳ９０１）、色空間変換後の画像データに、階調を調整する階調マッピング（図１０の階調変換処理）が施される（ステップＳ９０２）。ステップＳ９０１の輝度拡張色空間への変換及びステップＳ９０２の階調マッピングが、本発明の階調マッピング工程に対応する。
【０２９０】
次いで、階調マッピング後の画像データが色の見えモデルを用いて変換され（ステップＳ９０３）、出力媒体毎に色域マッピングが行われ（ステップＳ９０４）、撮影画像データを該当する出力媒体に出力するための鑑賞画像参照データが生成される（ステップＳ９０５）。ステップＳ９０４では、例えば、外部プリンタ用の色域マッピングが行われ、ステップＳ９０５では、外部プリンタに出力するための鑑賞画像参照データが生成される。ステップＳ９０３の色の見えモデル変換とステップＳ９０４の色域マッピングが、本発明の色域調整工程に対応する。
【０２９１】
次いで、ステップＳ９０５で生成された鑑賞画像参照データが色の見えモデルを用いて変換され（ステップＳ９０６）、ＣＲＴ用の色域マッピングが行われ（ステップＳ９０７）、撮影画像データをＣＲＴ８に表示するための鑑賞画像参照データが生成される（ステップＳ９０８）。そして、ステップＳ９０８で生成された画像データがＣＲＴ８に表示される（ステップＳ９０９）。ステップＳ９０６の色の見えモデル変換とステップＳ９０７の色域マッピングも、本発明の色域調整工程に対応する。
【０２９２】
ＣＲＴ８に表示された画像データを見ているユーザによる操作部１１の操作により、画像データの編集指示があった場合（ステップＳ９１０；ＹＥＳ）、その編集指示に応じて情報補填処理（撮影画像データの読み直し、必要な情報のみの補填）が行われる（ステップＳ９１１）。情報補填処理後、ステップＳ９０１に戻り、ステップＳ９０１〜Ｓ９０９の処理が繰り返される。
【０２９３】
ステップＳ９１０において、編集指示がなく、画像出力指示があった場合（ステップＳ９１０；ＮＯ）、ステップＳ９０５で生成された鑑賞画像参照データが、該当する出力媒体に出力され（ステップＳ９１２）、本画像処理が終了する。
【０２９４】
以上のように、本実施形態９によれば、撮影画像データの色空間を輝度拡張色空間へ変換し、階調マッピング処理を施し、階調マッピング処理後の画像データを輝度拡張色空間として保持した状態で、色域調整処理を行うようにしたことにより、最適な輝度域から、常に必要な情報が補填され、劣化が抑制されたデジタル画像データを生成することが可能となる。また、輝度拡張色空間の鑑賞画像参照データを出力することができ、再処理時の作業効率を向上させることができる。また、ユーザの編集指示に応じて、撮影画像データに対する輝度拡張色空間への変換、階調マッピング及び色域調整を行うようにしたことにより、常に必要な情報が補填され、劣化が抑制されたデジタル画像データを生成することが可能となるとともに、ユーザの編集作業効率を高めることができる。
【０２９５】
特に、色域調整処理により生成された少なくとも１つの出力媒体用の鑑賞画像参照データに対し、再度色域調整処理を施して、当該出力媒体とは異なる出力媒体用の鑑賞画像参照データを生成するようにしたことにより、撮影画像データがＲＡＷデータ以外である場合、鑑賞画像参照データを生成する工程が削減され、作業効率を向上させることができる。また、色域調整処理により生成された少なくとも１つの出力媒体用の鑑賞画像参照データが、自己発光して出力する出力媒体（例えば、ＣＲＴ等の表示モニタ）上で観察可能なプルーフ画像であることにより、ユーザは、その出力媒体上での画像を観察しながら編集作業を行うことができ、編集作業が容易になる。
【０２９６】
なお、上記各実施形態における記述内容は、本発明の趣旨を逸脱しない範囲で適宜変更可能である。
【図面の簡単な説明】
【０２９７】
【図１】色の見えモデルによる変換処理を示すフローチャート。
【図２】色の見えモデルによる逆変換処理を示すフローチャート。
【図３】本発明の実施形態１〜９における画像記録装置の外観構成を示す斜視図。
【図４】本発明の実施形態１〜９における画像記録装置の内部構成を示すブロック図。
【図５】本発明の実施形態１〜９における画像記録装置の画像処理部の内部構成を示すブロック図。
【図６】本発明の実施形態１における画像処理を示すフローチャート。
【図７】図５の画像調整処理部により実行される撮影シーン推定処理を示すフローチャート。
【図８】ＲＧＢからＨＳＶ表色系に変換することにより色相値、彩度値、明度値を得る変換プログラム（ＨＳＶ変換プログラム）の一例を示す図。
【図９】画素の累積度数分布を色相値Ｈと明度値Ｖで表した２次元ヒストグラムを示す図。
【図１０】図５の画像調整処理部により実行される階調変換処理を示すフローチャート。
【図１１】輝度拡張色空間における被写体輝度値と、基準色空間における被写体輝度値の関係を示す図。
【図１２】階調変換曲線の一例を示す図。
【図１３】本発明の実施形態２における画像処理を示すフローチャート。
【図１４】本発明の実施形態３における画像処理を示すフローチャート。
【図１５】本発明の実施形態４における画像処理を示すフローチャート。
【図１６】本発明の実施形態５における画像処理を示すフローチャート。
【図１７】本発明の実施形態６における画像処理を示すフローチャート。
【図１８】本発明の実施形態７における画像処理を示すフローチャート。
【図１９】本発明の実施形態８における画像処理を示すフローチャート。
【図２０】本発明の実施形態９における画像処理を示すフローチャート。
【符号の説明】
【０２９８】
１    画像記録装置
２    筐体
３    マガジン装填部
４    露光処理部
５    プリント作成部
６    トレー
７    制御部
８    ＣＲＴ
９    フィルムスキャナ部
１０    反射原稿入力装置
１１    操作部
１２    情報入力手段
１４    画像読込部
１５    画像書込部
３０    画像転送手段
３１    画像搬送部
３２    通信手段（入力）
３３    通信手段（出力）
５１    外部プリンタ
７０    画像処理部
７０１  画像調整処理部
７０２  フィルムスキャンデータ処理部
７０３  反射原稿スキャンデータ処理部
７０４  画像データ書式解読処理部
７０５  テンプレート処理部
７０６  ＣＲＴ固有処理部
７０７  プリント固有処理部Ａ
７０８  プリント固有処理部Ｂ
７０９  画像データ作成処理部
７１    データ蓄積手段
７２    テンプレート記憶手段
【図１】
2005208817.tif 000057
【図２】
2005208817.tif 000058
【図３】
2005208817.tif 000059
【図４】
2005208817.tif 000060
【図５】
2005208817.tif 000061
【図６】
2005208817.tif 000062
【図７】
2005208817.tif 000063
【図８】
2005208817.tif 000064
【図９】
2005208817.tif 000065
【図１０】
2005208817.tif 000066
【図１１】
2005208817.tif 000067
【図１２】
2005208817.tif 000068
【図１３】
2005208817.tif 000069
【図１４】
2005208817.tif 000070
【図１５】
2005208817.tif 000071
【図１６】
2005208817.tif 000072
【図１７】
2005208817.tif 000073
【図１８】
2005208817.tif 000074
【図１９】
2005208817.tif 000075
【図２０】
2005208817.tif 000076